(57)【要約】【課題】蓄えた熱ないしエネルギーが不足する、あるいは過剰となることに起因して、室内の快適性が急激に悪化することを抑制する。【解決手段】制御装置（5）は、蓄エネルギー部（21a,100）のエネルギーを空調ユニット（1A）の空調に利用しながら空調ユニット（1A）の空調能力を必要空調能力に近づける第１動作と、第１動作の後、空調ユニット（1A）の空調能力を低下させる第２動作とを実行するように構成される。制御装置（5）は、第１動作中において、蓄エネルギー部（21a,100）の残りのエネルギーを示す第２値が第２動作に必要な総エネルギーを示す第１値に至る条件が成立すると、第１動作から第２動作に切り換える。【選択図】図１３
2020056565.tif 000002
【特許請求の範囲】
【請求項１】
エネルギーを蓄える蓄エネルギー部（21a,100）を有する空調ユニット（1A）と、
システム全体の使用商用電力を目標電力以下としながら前記空調ユニット（1A）で空調を行うように前記空調ユニット（1A）を制御する制御装置（5）とを備えた空調システムであって、
前記制御装置（5）は、前記蓄エネルギー部（21a,100）のエネルギーを前記空調ユニット（1A）の空調に利用しながら前記空調ユニット（1A）の空調能力を必要空調能力に近づける第１動作と、前記第１動作の後、空調ユニット（1A）の空調能力を低下させる第２動作とを実行するように構成され、
前記制御装置（5）は、前記第１動作中において、前記蓄エネルギー部（21a,100）の残りのエネルギーを示す第２値が前記第２動作に必要な総エネルギーを示す第１値に至る条件が成立すると、前記第１動作から第２動作に切り換えることを特徴とする空調システム。
【請求項２】
請求項１において、
前記制御装置（5）は、前記第１動作中において、前記第１値を求めることを特徴とする空調システム。
【請求項３】
請求項１又は２において、
前記第２動作を実行することを使用者に知らせる通知部（3）を備えていることを特徴とする空調システム。
【請求項４】
請求項１乃至３のいずれか１つにおいて、
前記制御装置（5）は、予め決定された前記第２動作の実行時間と、前記必要空調能力と、前記目標電力とに基づいて、前記第１値を求めることを特徴とする空調システム。
【請求項５】
請求項１乃至４のいずれか１つにおいて、
前記制御装置（5）は、前記第２動作の後、前記システム全体の使用商用電力を目標電力以下としながら前記蓄エネルギー部（21a,100）のエネルギーを利用せずに前記空調ユニット（1A）を制御する第３動作を実行させることを特徴とする空調システム。
【請求項６】
請求項１乃至５のいずれか１つにおいて、
前記蓄エネルギー部は、前記空調ユニット（1A）の空調に利用する熱を前記エネルギーとして蓄える蓄熱部（21a）で構成されることを特徴とする空調システム。
【請求項７】
請求項１乃至５のいずれか１つにおいて、
前記蓄エネルギー部は、前記空調ユニット（1A）の空調に利用する電力を前記エネルギーとして蓄える蓄電装置（100）で構成されることを特徴とする空調システム。
【請求項８】
請求項１乃至５のいずれか１つにおいて、
前記蓄エネルギー部は、前記空調ユニット（1A）の空調に利用する熱を前記エネルギーとして蓄える蓄熱部（21a）と、前記空調ユニット（1A）の空調に利用する電力を前記エネルギーとして蓄える蓄電装置（100）とを含むことを特徴とする空調システム。
【請求項９】
請求項８において、
前記第１動作は、前記蓄熱部（21a）に蓄えた熱を前記空調ユニット（1A）の空調に利用する熱利用動作と、前記蓄電装置（100）に蓄えた電力を前記空調ユニット（1A）の空調に利用する蓄電利用動作とを含んでいることを特徴とする空調システム。
【請求項１０】
請求項９において、
前記第１動作は、前記蓄熱部（21a）に蓄えた熱と、前記蓄電装置（100）に蓄えた電力との双方を空調ユニット（1A）の空調に利用する同時利用動作を含んでいることを特徴とする空調システム。
【請求項１１】
請求項１０において、
前記制御装置（5）は、前記第１動作において、前記熱利用動作、前記同時利用動作、前記蓄電利用動作を順に実行させることを特徴とする空調システム。
【請求項１２】
請求項１１において、
前記制御装置（5）は、前記同時利用動作において、前記蓄電装置（100）から前記空調ユニット（1A）への電力の供給量を増大することを特徴とする空調システム。
【請求項１３】
空調ユニット（1A）と、
エネルギーを蓄える蓄エネルギー部（21a,100）と、
システム全体の使用商用電力を目標電力以上としながら前記空調ユニット（1A）で空調を行うように前記空調ユニット（1A）を制御する制御装置（5）とを備えた空調システムであって、
前記制御装置（5）は、
商用電力を前記蓄エネルギー部（21a,100）にエネルギーとして蓄えながら前記空調ユニット（1A）の空調能力を必要空調能力に近づける第４動作と、前記第４動作の後、空調ユニット（1A）の空調能力を増大させる第５動作とを実行するように構成されるとともに、
前記第４動作中において、前記蓄エネルギー部（21a,100）の残りのエネルギー容量を示す第４値が、前記第５動作に必要な総エネルギー容量を示す第３値に至る条件が成立すると、前記第４動作から第５動作に切り換えることを特徴とする空調システム。
【請求項１４】
請求項１３において、
前記制御装置（5）は、前記第４動作中において、前記第３値を求めることを特徴とする空調システム。
【請求項１５】
請求項１３又は１４において、
前記第５動作を実行することを使用者に知らせる通知部（3）を備えていることを特徴とする空調システム。
【請求項１６】
請求項１３乃至１５のいずれか１つにおいて、
前記制御装置（5）は、予め決定された前記第５動作の実行時間と、前記必要空調能力と、前記目標電力とに基づいて、前記第３値を求めることを特徴とする空調システム。
【請求項１７】
請求項１３乃至１６のいずれか１つにおいて、
前記制御装置（5）は、前記第５動作の後、前記システム全体の使用商用電力を目標使用電力以上としながら前記蓄エネルギー部（21a,100）にエネルギーを蓄えずに前記空調ユニット（1A）を制御する第６動作を実行させることを特徴とする空調システム。
【請求項１８】
請求項１３乃至１７のいずれか１つにおいて、
前記蓄エネルギー部は、前記エネルギーを熱として蓄える蓄熱部（21a）で構成されることを特徴とする空調システム。
【請求項１９】
請求項１３乃至１７のいずれか１つにおいて、
前記蓄エネルギー部は、前記エネルギーを電力として蓄える蓄電装置（100）で構成されることを特徴とする空調システム。
【請求項２０】
請求項１３乃至１７のいずれか１つにおいて、
前記蓄エネルギー部（100）は、前記エネルギーを熱として蓄える蓄熱部（21a）と、前記エネルギーを電力として蓄える蓄電装置（100）とを含んでいることを特徴とする空調システム。
【請求項２１】
請求項２０において、
前記第４動作は、前記蓄熱部（21a）に熱を蓄える蓄熱動作と、前記蓄電装置（100）に電力を蓄える蓄電動作とを含んでいることを特徴とする空調システム。
【請求項２２】
請求項２１において、
前記第４動作は、前記蓄熱部（21a）に熱を蓄えると同時に蓄電装置（100）に電力を蓄える同時蓄エネ動作を含んでいることを特徴とする空調システム。
【請求項２３】
請求項２２において、
前記制御装置（5）は、前記第４動作において、前記蓄熱動作、前記同時蓄エネ動作、前記蓄電動作を順に実行させることを特徴とする空調システム。
【請求項２４】
請求項２３において、
前記制御装置（5）は、前記同時蓄エネ動作において、前記蓄電装置（100）に蓄える電力を増大することを特徴とする空調システム。
【発明の詳細な説明】
【技術分野】
【０００１】
本開示は、空調システムに関する。
【背景技術】
【０００２】
特許文献１の空気調和装置は、圧縮機、室外熱交換器、室内熱交換器、伝熱管（蓄熱熱交換器）等が接続された冷媒回路を備える。伝熱管は、蓄熱槽の内部に設けられる。冷房蓄熱運転では、室内熱交換器及び伝熱管が蒸発器となり、蓄熱槽内で氷が生成される。ピークカット運転では、室内熱交換器が蒸発器となり、伝熱管が凝縮器（放熱器）となる。つまり、伝熱管で氷へ放熱した後の冷媒が、室内熱交換器の冷房に利用される。
【先行技術文献】
【特許文献】
【０００３】
【特許文献１】特開２００５−２８２９９３号公報
【発明の概要】
【発明が解決しようとする課題】
【０００４】
特許文献１に記載のような空調システムにおいて、使用商用電力を目標電力以下に抑制するように上記のピークカット運転を行うことが考えられる。つまり、例えば蓄えた熱ないしエネルギーを空調に利用することで、システム全体の使用商用電力を目標電力以下としながら室内の冷房や暖房を行うことができる。
【０００５】
一方、例えば日中において、室内の温度が急激に変化すると、蓄えた熱ないしエネルギーが不足してしまう可能性がある。この場合、使用商用電力を継続して目標電力以下に抑えるために、空調能力を低下させることを余儀なくされ、室内の快適性が急激に悪化する可能性があった。
【０００６】
同様に、使用商用電力を目標電力以上に促進するように上記の冷房蓄熱運転を行うことが考えられる。つまり、例えば商用電力を熱やエネルギーとして蓄えながら空調を行うことで、システム全体の使用商用電力を目標電力以上としながら室内の冷房や暖房を行うことができる。
【０００７】
一方、例えば日中において、室内の温度が急激に変化すると、蓄えた熱やエネルギーが過剰となり、逆に熱やエネルギーを蓄えるための容量が不足してしまう可能性がある。この場合、使用商用電力を継続して目標電力以上とするために、空調能力を増大させることを余儀なくされ、室内の快適性が急激に悪化する可能性があった。
【０００８】
本開示の目的は、蓄えた熱ないしエネルギーが不足する、あるいは過剰となることに起因して、室内の快適性が急激に悪化することを抑制することである。
【課題を解決するための手段】
【０００９】
第１の態様は、エネルギーを蓄える蓄エネルギー部（21a,100）を有する空調ユニット（1A）と、システム全体の使用商用電力を目標電力以下としながら前記空調ユニット（1A）で空調を行うように前記空調ユニット（1A）を制御する制御装置（5）とを備えた空調システムであって、前記制御装置（5）は、前記蓄エネルギー部（21a,100）のエネルギーを前記空調ユニット（1A）の空調に利用しながら前記空調ユニット（1A）の空調能力を必要空調能力に近づける第１動作と、前記第１動作の後、空調ユニット（1A）の空調能力を低下させる第２動作とを実行するように構成され、前記制御装置（5）は、前記第１動作中において、前記蓄エネルギー部（21a,100）の残りのエネルギーを示す第２値が前記第２動作に必要なエネルギーを示す第１値に至る条件が成立すると、前記第１動作から第２動作に切り換えることを特徴とする空調システムである。
【００１０】
第１の態様では、システム全体の使用商用電力が目標電力以下となるように第１動作及び第２動作が実行される。第１動作では、蓄エネルギー部（21a,100）に蓄えたエネルギー（例えば熱や電力）を利用しながら空調ユニット（1A）の空調能力を必要空調能力に近づけるため、室内の快適性を確保できる。第１動作では、蓄エネルギー部（21a,100）で蓄えたエネルギーが減っていく。しかし、その後に第２動作が行われると、空調能力が低下するため、使用商用電力を目標電力以下に抑えつつ、室内の快適性が急激に悪化してしまうことを抑制できる。
【００１１】
制御装置（5）は、第１動作において、蓄エネルギー部（21a,100）の残りのエネルギーを示す第２値が、前記第２動作に必要なエネルギーを示す第１値に至る条件が成立すると、第２動作を実行する。これにより、第２動作において、突然にエネルギーが無くなることを抑制できる。このため、第２動作では、使用商用電力を目標電力以下に抑えるように空調能力を低下させることができ、室内の快適性が急激に悪化してしまうことを抑制できる。
【００１２】
第２の態様は、第１の態様において、前記制御装置（5）は、前記第１動作中において、前記第１値を求めることを特徴とする空調システムである。
【００１３】
第２の態様では、第１動作中において、第２動作に必要な総エネルギーを示す第１値が求められる。
【００１４】
第３の態様は、第１又は第２の態様において、前記第２動作を実行することを使用者に知らせる通知部（3）を備えていることを特徴とする空調システムである。
【００１５】
第３の態様では、通知部（3）によって、第２動作を実行することを使用者に知らせることができる。
【００１６】
第４の態様は、第１乃至３のいずれか１つの態様において、前記制御装置（5）は、予め決定された前記第２動作の実行時間と、前記必要空調能力と、前記目標電力とに基づいて、前記第１値を求めることを特徴とする空調システムである。
【００１７】
第４の態様では、第２動作の実行時間と必要空調能力と目標電力とに基づいて、第２動作の必要エネルギーが求められる。
【００１８】
第５の態様は、第１乃至４の態様のいずれか１つにおいて、前記制御装置（5）は、前記前記第２動作の後、前記システム全体の使用商用電力を目標電力以下としながら前記蓄エネルギー部（100）のエネルギーを利用せずに前記空調ユニット（1A）を制御する第３動作を実行させることを特徴とする空調システムである。
【００１９】
第５の態様では、第２動作により蓄エネルギー部（21a,100）のエネルギーが無くなったとしても、第３動作を行うことで使用商用電力を目標電力以下としながら空調を継続できる。この場合、空調能力は必要空調能力に対して不足するが、その前に第２動作を行うため、室内の快適性が急激に悪化してしまうことを抑制できる。
【００２０】
第６の態様は、第１乃至５の態様のいずれか１つにおいて、前記蓄エネルギー部は、前記空調ユニット（1A）の空調に利用する熱を前記エネルギーとして蓄える蓄熱部（21a）で構成されることを特徴とする空調システムである。
【００２１】
第６の態様では、蓄熱部（21a）にエネルギーとしての熱が蓄えられ、この熱が空調に利用される。第１動作中に蓄熱部（21a）の残りの蓄熱量（第２値）が、第２動作に必要な蓄熱量（第１値）に至る条件が成立すると第２動作が実行される。
【００２２】
第７の態様は、第１乃至５の態様のいずれか１つにおいて、前記蓄エネルギー部は、前記空調ユニット（1A）の空調に利用する電力を前記エネルギーとして蓄える蓄電装置（100）で構成されることを特徴とする空調システムである。
【００２３】
第７の態様では、蓄電装置（100）にエネルギーとしての電力が蓄えられ、この電力が空調に利用される。第１動作中に蓄電装置（100）に蓄えられた残りの電力（第２値）が、第２動作に必要な総電力（第１値）に至る条件が成立すると第２動作が実行される。
【００２４】
第８の態様は、第１乃至５の態様のいずれか１つにおいて、前記蓄エネルギー部は、前記空調ユニット（1A）の空調に利用する熱を前記エネルギーとして蓄える蓄熱部（21a）と、前記空調ユニット（1A）の空調に利用する電力を前記エネルギーとして蓄える蓄電装置（100）とを含むことを特徴とする空調システムである。
【００２５】
第８の態様では、蓄熱部（21a）にエネルギーとしての熱が蓄えられるとともに、蓄電装置（100）にエネルギーとしての電力が蓄えられる。蓄熱部（21a）に蓄えられた熱や、蓄電装置（100）に蓄えられた電力は、空調に利用される。
【００２６】
第９の態様は、第８の態様において、前記第１動作は、前記蓄熱部（21a）に蓄えた熱を前記空調ユニット（1A）の空調に利用する熱利用動作と、前記蓄電装置（100）に蓄えた電力を前記空調ユニット（1A）の空調に利用する蓄電利用動作とを含んでいることを特徴とする空調システムである。
【００２７】
第９の態様の第１動作では、蓄熱部（21a）の熱を空調に利用する熱利用動作と、蓄電装置（100）の電力を空調に利用する蓄電利用動作とが行われる。
【００２８】
第１０の態様は、第９の態様において、前記第１動作は、前記蓄熱部（21a）に蓄えた熱と、前記蓄電装置（100）に蓄えた電力との双方を空調ユニット（1A）の空調に利用する同時利用動作を含んでいることを特徴とする空調システムである。
【００２９】
第１０の態様の第１動作では、熱利用動作、蓄電利用動作に加え、蓄熱部（21a）の熱と蓄電装置（100）の電力とを同時に空調に利用する同時利用動作とが行われる。
【００３０】
第１１の態様は、第１０の態様において、前記制御装置（5）は、前記第１動作において、前記熱利用動作、前記同時利用動作、前記蓄電利用動作を順に実行させることを特徴とする空調システムである。
【００３１】
第１１の態様の第１動作では、熱利用動作、同時利用動作、蓄電利用動作が順に行われる。
【００３２】
第１２の態様は、第１１の態様において、前記制御装置（5）は、前記同時利用動作において、前記蓄電装置（100）から前記空調ユニット（1A）への電力の供給量を増大することを特徴とする空調システムである。
【００３３】
第１２の態様では、同時利用動作において蓄熱部（21a）の熱量が少なくなると、これを補うように蓄電装置（100）からの電力の供給量が増大する。
【００３４】
第１３の態様は、空調ユニット（1A）と、エネルギーを蓄える蓄エネルギー部（21a,100）と、システム全体の使用商用電力を目標電力以上としながら前記空調ユニット（1A）で空調を行うように前記空調ユニット（1A）を制御する制御装置（5）とを備えた空調システムであって、前記制御装置（5）は、商用電力を前記蓄エネルギー部（21a,100）にエネルギーとして蓄えながら前記空調ユニット（1A）の空調能力を必要空調能力に近づける第４動作と、前記第４動作の後、空調ユニット（1A）の空調能力を増大させる第５動作を実行するように構成されるとともに、前記第４動作中において、前記蓄エネルギー部（21a,100）の残りのエネルギー容量を示す第４値が、前記第５動作に必要な総エネルギーを示す第３値に至る条件が成立すると、前記第４動作から第５動作に切り換えることを特徴とする空調システムである。
【００３５】
第１３の態様では、システム全体の使用商用電力が目標電力以上となるように第４動作及び第５動作が実行される。第４動作では、蓄エネルギー部（21a,100）にエネルギー（例えば熱や電力）を蓄えながら空調ユニット（1A）の空調能力を必要空調能力に近づけるため、室内の快適性を確保できる。第４動作では、蓄エネルギー部（21a,100）に蓄えるエネルギーが増えていき、逆に蓄エネルギー部（21a,100）のエネルギー容量が減っていく。しかし、その後に第５動作が行われると、空調能力が増大するため、使用商用電力が目標電力以下になることを抑制しつつ、室内の快適性が急激に悪化してしまうことを抑制できる。
【００３６】
制御装置（5）は、第４動作において、蓄エネルギー部（21a,100）の残りのエネルギー容量を示す第４値が、第５動作に必要な総エネルギーを示す第３値に至る条件が成立すると、第５動作を実行する。これにより、第５動作において、突然にエネルギー容量が無くなることを抑制できる。このため、第５動作では、空調能力を増大させることができ、室内の快適性が急激に悪化してしまうことを抑制できる。
【００３７】
第１４の態様は、第１３の態様において、前記制御装置（5）は、前記第４動作中において、前記第３値を求めることを特徴とする空調システムである。
【００３８】
第１４の態様では、第４動作中において、第５動作に必要な総エネルギーを示す第３値が求められる。
【００３９】
第１５の態様は、第１３又は第１４の態様において、前記第５動作を実行することを使用者に知らせる通知部（3）を備えていることを特徴とする空調システムである。
【００４０】
第１５の態様では、通知部（3）によって、第５動作を実行することを使用者に知らせることができる。
【００４１】
第１６の態様は、第１３乃至第１５の態様のいずれか１つにおいて、前記制御装置（5）は、予め決定された前記第５動作の実行時間と、前記必要空調能力と、前記目標電力とに基づいて、前記第３値を求めることを特徴とする空調システムである。
【００４２】
第１６の態様では、第５動作の実行時間と必要空調能力と目標電力とに基づいて、第５動作に必要なエネルギーが求められる。
【００４３】
第１７の態様は、第１３乃至１６の態様のいずれか１つにおいて、前記制御装置（5）は、前記第５動作の後、前記システム全体の使用商用電力を目標使用電力以上としながら前記蓄エネルギー部（21a,100）にエネルギーを蓄えずに前記空調ユニット（1A）を制御する第６動作を実行させることを特徴とする空調システムである。
【００４４】
第１７の態様では、第５動作により蓄エネルギー部（21a,100）のエネルギー容量が無くなったとしても、第６動作を行うことで使用商用電力を目標電力以上としながら空調を継続できる。この場合、空調能力は必要空調能力に対して過剰となるが、その前に第５動作を行うため、室内の快適性が急激に悪化してしまうことを抑制できる。
【００４５】
第１８の態様は、第１３乃至１７の態様のいずれか１つにおいて、前記蓄エネルギー部は、前記エネルギーを熱として蓄える蓄熱部（21a）で構成されることを特徴とする空調システムである。
【００４６】
第１８の態様では、蓄熱部（21a）にエネルギーとしての熱が蓄えられながら空調が行われる。第４動作中に蓄熱部（21a）の残りの蓄熱容量（第４値）が、第５動作に必要な総蓄熱容量（第３値）に至る条件が成立すると、第５動作が実行される。
【００４７】
第１９の態様は、第１３乃至１７の態様のいずれか１つにおいて、前記蓄エネルギー部は、前記エネルギーを電力として蓄える蓄電装置（100）で構成されることを特徴とする空調システムである。
【００４８】
第１９の態様では、蓄電装置（100）にエネルギーとしての電力が蓄えられながら空調が行われる。第４動作中に蓄電装置（100）の残りの蓄電容量（即ち、第４値）が、第５動作に必要な総蓄電容量（即ち、第３値）に至る条件が成立すると、第５動作が実行される。
【００４９】
第２０の態様は、第１３乃至１７の態様のいずれか１つにおいて、前記蓄エネルギー部は、前記エネルギーを熱として蓄える蓄熱部（21a）と、前記エネルギーを電力として蓄える蓄電装置（100）とを含んでいることを特徴とする空調システムである。
【００５０】
第２０の態様は、蓄熱部（21a）にエネルギーとしての熱が蓄えられるとともに、蓄電装置（100）にエネルギーとしての電力が蓄えられる。
【００５１】
第２１の態様は、第２０の態様において、前記第４動作は、前記蓄熱部（21a）に熱を蓄える蓄熱動作と、前記蓄電装置（100）に電力を蓄える蓄電動作とを含んでいることを特徴とする空調システムである。
【００５２】
第２１の態様の第４動作では、蓄熱部（21a）に熱を蓄えながら空調を行う蓄熱動作と、蓄電装置（100）に電力を蓄えながら空調を行う蓄電動作とが行われる。
【００５３】
第２２の態様は、第２１の態様において、前記第４動作は、前記蓄熱部（21a）に熱を蓄えると同時に蓄電装置（100）に電力を蓄える同時蓄エネ動作を含んでいることを特徴とする空調システムである。
【００５４】
第２２の態様の第４動作では、蓄熱動作、蓄電動作に加え、蓄熱部（21a）に熱と蓄え、且つ蓄電装置（100）に電力を蓄えながら同時に空調を行う同時蓄エネ動作とが行われる。
【００５５】
第２３の態様は、第２２の態様において、前記制御装置（5）は、前記第４動作において、前記蓄熱動作、前記同時蓄エネ動作、前記蓄電動作を順に実行させることを特徴とする空調システムである。
【００５６】
第２３の態様では、蓄熱動作、同時蓄エネ動作、及び蓄電動作が順に行われる。
【００５７】
第２４の態様は、第２３の態様において、前記制御装置（5）は、前記同時蓄エネ動作において、前記蓄電装置（100）に蓄える電力を増大することを特徴とする空調システムである。
【００５８】
第２４の態様では、同時蓄エネ動作において蓄熱部（21a）の蓄熱容量が少なくなり、蓄熱部（21a）に蓄熱できる熱量が低下すると、これを補うように蓄電装置（100）に蓄える電力が増大する。
【図面の簡単な説明】
【００５９】
【図１】図１は、実施形態１に係る空調システムの配管系統図である。
【図２】図２は、実施形態１に係る空調システムの配管系統図において、冷房運転の冷媒の流れを表したものである。
【図３】図３は、実施形態１に係る空調システムの配管系統図において、冷房ピークシフト運転の冷媒の流れを表したものである。
【図４】図４は、実施形態１に係る空調システムの配管系統図において、冷房ピークカット運転の冷媒の流れを表したものである。
【図５】図５は、実施形態１に係る空調システムの配管系統図において、冷房/冷蓄熱運転の冷媒の流れを表したものである。
【図６】図６は、実施形態１に係る空調システムの配管系統図において、冷蓄熱運転の冷媒の流れを表したものである。
【図７】図７は、実施形態１に係る空調システムの配管系統図において、暖房運転の冷媒の流れを表したものである。
【図８】図８は、実施形態１に係る空調システムの配管系統図において、暖房ピークカット運転の冷媒の流れを表したものである。
【図９】図９は、実施形態１に係る空調システムの配管系統図において、暖房/温蓄熱運転の冷媒の流れを表したものである。
【図１０】図１０は、実施形態１に係る空調システムの配管系統図において、温蓄熱運転の冷媒の流れを表したものである。
【図１１】図１１は、各運転の冷凍サイクルを対比したモリエル線図である。
【図１２】図１２は、実施形態１に係る空調ユニット、コントローラ、及び商用電源の関係を示した概略の構成図である。
【図１３】図１３は、実施形態１の第１運転に係るタイムチャートである。
【図１４】図１４は、実施形態１の第１運転に係るフローチャートである。
【図１５】図１５は、実施形態１の第２運転に係るタイムチャートである。
【図１６】図１６は、実施形態１の第２運転に係るフローチャートである。
【図１７】図１７は、実施形態２に係る空調ユニット、コントローラ、及び商用電源の関係を示した概略の構成図である。
【図１８】図１８は、実施形態２の第１運転に係るタイムチャートである。
【図１９】図１９は、実施形態２の第２運転に係るタイムチャートである。
【図２０】図２０は、実施形態３の第１運転に係るタイムチャートである。
【図２１】図２１は、実施形態３の第２運転に係るタイムチャートである。
【発明を実施するための形態】
【００６０】
以下、本開示の実施形態について図面を参照しながら説明する。なお、以下の実施形態は、本質的に好ましい例示であって、本発明、その適用物、あるいはその用途の範囲を制限することを意図するものではない。
【００６１】
《実施形態１》
実施形態１は、蓄熱媒体に熱（冷熱及び温熱）を蓄えるとともに、蓄えた熱を空調に利用する蓄熱式の空調システムである。実施形態１の空調システム（1）は、室外ユニット（10）（熱源側ユニット）と、蓄熱ユニット（20）と、複数の流路切換ユニット（30）と、複数の室内ユニット（40）（利用側ユニット）とを備え、これらを冷媒配管で接続することにより構成された冷媒回路（50）を備える。複数の室内ユニット（40）及び流路切換ユニット（30）は、室外ユニット（10）及び蓄熱ユニット（20）に対して並列に接続される。蓄熱ユニット（20）と各室内ユニット（40）の間には、流路切換ユニット（30）が接続される。空調システム（1）は、冷房運転と暖房運転が混在する運転が可能に構成され、運転を制御するコントローラ（5）を備える。なお、図１等においては、２台の室内ユニット（40）を図示し、これらと並列に接続される室内ユニットの図示は省略している。
【００６２】
室外ユニット（10）と蓄熱ユニット（20）は、室外側第１ガス連絡管（51）と室外側第２ガス連絡管（52）と室外側液連絡管（53）で接続される。蓄熱ユニット（20）と流路切換ユニット（30）とは、中間部第１ガス連絡管（54）と中間部第２ガス連絡管（55）と中間部液連絡管（56）とで接続される。蓄熱ユニット（20）と室内ユニット（40）とは、室内側ガス連絡管（57）と室内側液連絡管（58）とで接続される。
【００６３】
〈室外ユニット〉
室外ユニット（10）には、圧縮機（11）、室外熱交換器（12）、レシーバ（13）、アキュムレータ（14）、第１四路切換弁（15）、第２四路切換弁（16）、第３四路切換弁（17）、及びブリッジ回路（18）が設けられる。圧縮機（11）の吐出配管（11a）は、吐出側第１分岐管（61）と吐出側第２分岐管（62）と吐出側第３分岐管（63）に分岐する。吐出側第１分岐管（61）は、第１四路切換弁（15）の第１ポートに接続され、吐出側第２分岐管（62）は、第２四路切換弁（16）の第１ポートに接続される。吐出側第３分岐管（63）は、第３四路切換弁（17）の第１ポートに接続される。
【００６４】
室外熱交換器（12）は、第１室外熱交換器（12a）と第２室外熱交換器（12b）とを含んでいる。第１室外熱交換器（12a）のガス側端は第１四路切換弁（15）の第２ポートに接続され、第２室外熱交換器（12b）のガス側端は第２四路切換弁（16）の第２ポートに接続される。第１四路切換弁（15）の第３ポートには吸入側第１分岐管（64）が、第２四路切換弁（16）の第３ポートには吸入側第２分岐管（65）が、第３四路切換弁（17）の第３ポートには吸入側第３分岐管（66）が、それぞれ接続される。吸入側第１分岐管（64）と吸入側第３分岐管（66）は室外低圧管（67）の一端に接続される。圧縮機（11）の吸入配管（11b）はアキュムレータ（14）のガス流出ポート（14a）に接続され、アキュムレータ（14）の第１ガス流入ポート（14b）には室外側第１ガス管（68）の一端が接続される。室外低圧管（67）の他端は、室外側第１ガス連絡管（51）に合流する。室外側第１ガス管（68）の他端は、室外側第１ガス連絡管（51）に接続される。
【００６５】
第３四路切換弁（17）の第２ポートには室外側第２ガス管（69）の一端が接続される。室外側第２ガス管（69）の他端は室外側第２ガス連絡管（52）に接続される。
【００６６】
第１四路切換弁（15）の第４ポート、第２四路切換弁（16）の第４ポート、及び第３四路切換弁（17）の第４ポートは、それぞれ、閉鎖された閉鎖ポートである。第１四路切換弁（15）、第２四路切換弁（16）、及び第３四路切換弁（17）は、第１ポートと第２ポートが連通するとともに第３ポートと第４ポートが連通する第１状態（図１の実線の連通状態）と、第１ポートと第４ポートが連通するとともに第２ポートと第３ポートが連通する第２状態（図１の破線の連通状態）とに切換可能に構成される。図１において、第１四路切換弁（15）と第２四路切換弁（16）は第１状態を示し、第３四路切換弁（17）は第２状態を示している。
【００６７】
第１室外熱交換器（12a）の液側端は室外側液第１分岐管（71）に接続され、第２室外熱交換器（12b）の液側端は室外側液第２分岐管（72）に接続される。室外側液第１分岐管（71）には室外側第１膨張弁（73）（膨張機構）が接続され、室外側液第２分岐管（72）には室外側第２膨張弁（74）(膨張機構）が接続される。室外側液第１分岐管（71）と室外側液第２分岐管（72）は合流し、室外側液管（75）に接続される。室外側液管（75）は、ブリッジ回路（18）を介して室外側液連絡管（53）に接続される。
【００６８】
室外側液管（75）には、ブリッジ回路（18）を介して、液冷媒を貯留可能な上記レシーバ（13）が接続される。ブリッジ回路（18）は、第１接続点（18a）、第２接続点（18b）、第３接続点（18c）、及び第４接続点（18d）を有し、これらの接続点が配管接続された閉回路である。第１接続点（18a）と第２接続点（18b）との間には、第１接続点（18a）から第２接続点（18b）へ向かう方向への冷媒の流れを許容し、逆方向の冷媒の流れを禁止する第１逆止弁（19a）が設けられる。第３接続点（18c）と第２接続点（18b）との間には、第３接続点（18c）から第２接続点（18b）へ向かう方向への冷媒の流れを許容し、逆方向の冷媒の流れを禁止する第２逆止弁（19b）が設けられる。第４接続点（18d）と第３接続点（18c）との間には、第４接続点（18d）から第３接続点（18c）へ向かう方向への冷媒の流れを許容し、逆方向の冷媒の流れを禁止する第３逆止弁（19c）が設けられる。第４接続点（18d）と第１接続点（18a）との間には、第４接続点（18d）から第１接続点（18a）へ向かう方向への冷媒の流れを許容し、逆方向の冷媒の流れを禁止する第４逆止弁（19d）が設けられる。
【００６９】
ブリッジ回路（18）の第２接続点（18b）とレシーバ（13）の液流入ポート（13a）とは、室外流量調整弁（76）を有する液流入管（77）で接続される。レシーバ（13）の液流出ポート（13b）とブリッジ回路（18）の第４接続点（18d）とは、液流出管（79）で接続される。液流出管（79）には、レシーバ（13）から第４接続点（18d）へ向かう冷媒の流れを許容し、逆方向への冷媒の流れを禁止する室外逆止弁（78）が設けられる。レシーバ（13）のガス流出ポート（13c）は、開度調整可能なガス抜き弁（80）が設けられたガス抜き管（81）の一端が接続される。ガス抜き管（81）の他端はアキュムレータ（14）の第２ガス流入ポート（14c）に接続される。
【００７０】
〈蓄熱ユニット〉
蓄熱ユニット（20）は、蓄熱用熱交換器（21）と第４四路切換弁（22）と流量調整機構（23）とを有する。蓄熱用熱交換器（21）は、蓄熱媒体として例えば水が貯留された蓄熱槽（21a）と、蓄熱槽（21a）の中に設けられた複数パス（図示せず）の伝熱管（21b）とを有する。蓄熱用熱交換器（21）は、冷房時に蒸発器になるときには蓄熱槽（21a）の中の伝熱管（21b）の周りに低温冷媒で氷を生成し、逆に放熱器になるときには冷媒が氷に放熱する構成の、いわゆるスタティック型の蓄熱用熱交換器（21）である。蓄熱用熱交換器（21）は、暖房時に放熱器になるときには水を加熱して温水を生成し、蒸発器になるときには冷媒が温水から吸熱する。
【００７１】
蓄熱ユニット（20）は、蓄熱側第１ガス管（85）と、蓄熱側第２ガス管（86）と、蓄熱側液管（87）とを有する。蓄熱側第１ガス管（85）は、室外側第１ガス連絡管（51）と中間部第１ガス連絡管（54）とに接続される。蓄熱側第１ガス管（85）は、室外側第１ガス連絡管（51）と中間部第１ガス連絡管（54）とに接続される。蓄熱側第２ガス管（86）は、室外側第２ガス連絡管（52）と中間部第２ガス連絡管（55）とに接続される。蓄熱側液管（87）は、室外側液連絡管（53）と中間部液連絡管（56）とに接続される。
【００７２】
第４四路切換弁（22）の第１ポートは第１接続管（88）を介して蓄熱側第１ガス管（85）に接続される。第４四路切換弁（22）の第２ポートには第２接続管（89）の一端が接続され、第２接続管（89）の他端は蓄熱側液管（87）に接続される。第２接続管（89）には、電動弁で構成された蓄熱側第１流量調整弁（90）と、蓄熱側第１開閉弁（91）（電磁弁）と、蓄熱側液管（87）へ向かう方向の冷媒流れのみを許容する蓄熱側第１逆止弁（92）とが直列で配置される。第２接続管（89）には、蓄熱側第１流量調整弁（90）と蓄熱側第１開閉弁（91）との間に接続された蓄熱側第１分岐管（93）が蓄熱用熱交換器（21）の伝熱管（21b）のガス側端に接続される。第４四路切換弁（22）の第３ポートは第３接続管（94）を介して蓄熱側第２ガス管（86）に接続される。第４四路切換弁（22）の第４ポートは閉鎖された閉鎖ポートである。
【００７３】
第４四路切換弁（22）は、第１ポートと第２ポートが連通するとともに第３ポートと第４ポートが連通する第１状態（図１の実線の状態）と、第１ポートと第４ポートが連通するとともに第２ポートと第３ポートが連通する第２状態（図１の破線の状態）とに切換可能に構成される。
【００７４】
蓄熱側液管（87）には蓄熱側第２開閉弁（95）が設けられる。蓄熱側第２開閉弁（95）は、室外側液管（75）から中間部液連絡管（56）へ向かう冷媒の流れのみを許容するように構成される。蓄熱側液管（87）には、蓄熱側第２開閉弁（95）をバイパスする第１バイパス通路（96）が接続される。この第１バイパス通路（96）には、中間部液連絡管（56）から室外側液管（75）へ向かう冷媒の流れを許容し、逆方向への冷媒の流れを禁止する蓄熱側第２逆止弁（97）が設けられる。
【００７５】
蓄熱用熱交換器（21）の液側端は、蓄熱側第２分岐管（98）を介して蓄熱側液管（87）に、室外側液管（75）と蓄熱側第２開閉弁（95）との間で接続される。蓄熱側第２分岐管（98）には上記流量調整機構（23）が接続される。流量調整機構（23）は、蓄熱側第２分岐管（98）に設けられた蓄熱側流量調整弁（99a）（開度調整弁）と、蓄熱側流量調整弁（99a）（開度調整弁）をバイパスする第２バイパス通路（98a）に設けられた蓄熱側第３開閉弁（99b）（電磁弁）とを有する。
【００７６】
〈流路切換ユニット〉
流路切換ユニット（30）は、ガス側接続管（31）と液側接続管（32）とを有する。ガス側接続管（31）は、ガス側主管（33）と切換部第１分岐管（33a）と切換部第２分岐管（33b）とを備え、切換部第１分岐管（33a）に第１流路切換弁（34a）が、切換部第２分岐管（33b）に第２流路切換弁（34b）が設けられる。ガス側主管（33）は、一端が室内側ガス連絡管（57）に、他端が切換部第１分岐管（33a）及び切換部第２分岐管（33b）の一端にそれぞれ接続される。切換部第１分岐管（33a）の他端は上記中間部第１ガス連絡管（54）に接続され、切換部第２分岐管（33b）の他端は中間部第２ガス連絡管（55）に接続される。
【００７７】
第１流路切換弁（34a）及び第２流路切換弁（34b）は、各流路切換ユニット（30）において冷媒流れを許容または遮断する制御弁である。各流路切換弁（34a，34b）は、モータ駆動により開度を調整可能に構成された電動調整弁で構成され、冷媒回路（50）における室内の冷媒の流路が電気制御で切り換えられる。これらの電動調整弁の開閉状態を切り換えることによって冷媒の流れを制御し、各室内ユニット（40）において冷房運転と暖房運転が個別に切り換えられる。なお、各流路切換弁（34a，34b）には、電動調整弁の代わりに電磁開閉弁を用いてもよい。
【００７８】
液側接続管（32）は液側主管（35）を備え、液側主管（35）には過冷却熱交換器（36）が接続される。液側主管（35）には、中間部液連絡管（56）と過冷却熱交換器（36）との間に過冷却配管（37）の一端が接続される。過冷却配管（37）は、過冷却熱交換器（36）の中を通過し、他端が切換部第１分岐管（33a）における第１流路切換弁（34a）と中間部第１ガス連絡管（54）との間に接続される。過冷却配管（37）には、液側主管（35）と過冷却熱交換器（36）との間に流量調整弁（38）が設けられる。流量調整弁の開度を調整することによって、過冷却回路へ流れ込む冷媒の量が調整される。
【００７９】
〈室内ユニット〉
室内ユニット（40）は、それぞれ、室内熱交換器（41）（利用側熱交換器）と室内膨張弁（42）とを有する。室内膨張弁（42）は、開度調整可能な電子膨張弁により構成される。この室内ユニット（40）では、室内熱交換器（41）のガス側端が流路切換ユニット（30）に室内側ガス連絡管（57）で接続され、室内膨張弁（42）が流路切換ユニット（30）に室内側液連絡管（58）で接続される。
【００８０】
〈コントローラの概略構成〉
コントローラ（5）は、制御基板上に搭載されたマイクロコンピュータと、該マイクロコンピュータを動作させるためのソフトウエアを格納するメモリディバイス（具体的には半導体メモリ）とを含む。コントローラ（5）は、運転指令やセンサの検出信号に基づいて、空調システム（1）の各機器を制御する。コントローラ（5）による各機器の制御により、空調システム（1）の運転が切り換えられる。
【００８１】
図では１台のコントローラ（5）が各ユニットと冷媒切換器に接続された構成を示しているが、設置条件に応じてコントローラ（5）を複数に分け、各コントローラ（5）が連動した制御を行うように構成してもよい。
【００８２】
−運転動作−
実施形態の空調システム（1）は、冷房運転、冷房ピークシフト運転（冷房過冷却運転）、冷房ピークカット運転、冷房／冷蓄熱運転、冷蓄熱運転、暖房運転、暖房ピークカット運転、暖房／温蓄熱運転、及び温蓄熱運転を切り換えて行う。この空調システム（1）では、流路切換ユニット（30）の冷媒流れ方向の設定を切り換えることにより、複数の室内ユニット（40）において冷房運転と暖房運転が混在する運転が可能であるが、その動作の説明は省略する。
【００８３】
以下、各運転における冷媒回路（50）の動作を説明する。
【００８４】
〈冷房運転〉
図２に示す冷房運転は、蓄熱用熱交換器（21）を用いずに、室外熱交換器（12）が放熱器になり、室内熱交換器（41）が蒸発器になる状態で、冷媒が冷媒回路（50）を循環する運転である。
【００８５】
この冷房運転時、室外ユニット（10）では、第１四路切換弁（15）及び第２四路切換弁（16）は第１状態に設定される。図２の状態で室外側第１膨張弁（73）及び室外側第２膨張弁（74）はいずれも全開に設定されるが、室外熱交換器（12）を１台のみで運転する場合は、室外側第１膨張弁（73）及び室外側第２膨張弁（74）の一方が閉鎖される（以下の各運転でも同様）。室外流量調整弁（76）は全開に設定される。
【００８６】
蓄熱ユニット（20）では、蓄熱側第２開閉弁（95）は開放され、蓄熱側流量調整弁（99a）と蓄熱側第３開閉弁（99b）は閉鎖される。
【００８７】
流路切換ユニット（30）では、各室内ユニット（40）で冷房運転を行うとすると、第１流路切換弁（34a）を開放し、第２流路切換弁（34b）を閉鎖し、流量調整弁が所定開度に制御される。室内ユニット（40）では、室内膨張弁（42）が所定開度に制御される。
【００８８】
なお、図示していないが、冷房運転を行う室内ユニット（40）と暖房運転を行う室内ユニット（40）が混在する場合は、室外ユニット（10）の第３四路切換弁（17）を第２状態に切り換えるとともに、暖房運転を行う室内ユニット（40）の室内膨張弁（42）を全開にし、第１流路切換弁（34a）を閉鎖し、第２流路切換弁（34b）を開放する。
【００８９】
図２の冷房運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）を通過した後、流路切換ユニット（30）で過冷却されて室内ユニット（40）へ流入する。
【００９０】
室内ユニット（40）では、冷媒が室内膨張弁（42）で減圧され、室内熱交換器（41）で室内空気から吸熱して蒸発する。このとき、室内空気が冷却され、室内が冷房される。室内ユニット（40）から流出した冷媒は、流路切換ユニット（30）のガス側接続管（31）と蓄熱ユニット（20）の蓄熱側第１ガス管（85）を通り、室外ユニット（10）に戻る。冷媒は、室外ユニット（10）の室外側第１ガス管（68）からアキュムレータ（14）に流入した後、圧縮機（11）に吸入される。
【００９１】
冷房運転時は、冷媒回路（50）において以上の動作が連続する冷凍サイクルが行われる。図１１に、通常運転と示した冷凍サイクルのＰ−ｈ線図を示している。この状態では、以下に説明する冷房ピークカット運転や冷房ピークシフト運転よりも冷媒の高低圧力差が大きく、エンタルピ差は小さい。
【００９２】
〈冷房ピークシフト運転〉
図３に示す冷房ピークシフト運転は、蓄熱槽（21a）の中に氷が生成されている蓄熱用熱交換器（21）を過冷却熱交換器（36）として用い、室外熱交換器（12）が放熱器になり、室内熱交換器（41）が蒸発器になる状態で、冷媒が冷媒回路（50）を循環する運転である。
【００９３】
この冷房ピークシフト運転時、室外ユニット（10）、流路切換ユニット（30）、及び室内ユニット（40）の各弁の制御は冷房運転時と同じである。蓄熱ユニット（20）では、蓄熱側第２開閉弁（95）が閉鎖され、蓄熱側流量調整弁（99a）と蓄熱側第３開閉弁（99b）が開放される。なお、蓄熱側第３開閉弁（99b）を開放し、蓄熱側流量調整弁（99a）を閉鎖してもよい。蓄熱側第１流量調整弁（90）は閉鎖され、蓄熱側第１開閉弁（91）は開放される。
【００９４】
冷房ピークシフト運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）から蓄熱側第２分岐管（98）へ分流し、蓄熱用熱交換器（21）へ流入して過冷却される。
【００９５】
過冷却された冷媒は、各流路切換ユニット（30）を通って各室内ユニット（40）へ流入し、室内膨張弁（42）で減圧された後に室内熱交換器（41）で蒸発し、そのときに室内空気を冷却して室内を冷房する。室内熱交換器（41）で蒸発した冷媒は、流路切換ユニット（30）のガス側接続管（31）及び蓄熱ユニット（20）の蓄熱側第１ガス管（85）を通って室外ユニット（10）に戻る。室外ユニット（10）に戻った冷媒は、アキュムレータ（14）を介して圧縮機（11）に吸入される。
【００９６】
冷房ピークシフト運転時は、冷媒回路（50）において以上の動作が連続する冷凍サイクルが行われる。図１１に冷房ピークシフト運転のＰ−ｈ線図を示すように、この状態では、上記冷房運転よりも、冷媒の高低圧力差が小さく、蓄熱用熱交換器（21）で冷媒を過冷却しているのでエンタルピ差は大きい。高低圧力差が小さいために圧縮機（11）の入力が少なくて済み、通常の冷房運転時と比べて消費電力が抑えられるとともにＣＯＰ（成績係数）が高くなる。
【００９７】
〈冷房ピークカット運転〉
図４に示す冷房ピークカット運転は、蓄熱槽（21a）の中に氷が生成されている蓄熱用熱交換器（21）が放熱器になり、室内熱交換器（41）が蒸発器になる状態で、冷媒が冷媒回路（50）を循環する運転である。この運転では室外熱交換器（12）は用いない。
【００９８】
この冷房ピークカット運転時、室外ユニット（10）では、第１四路切換弁（15）と第２四路切換弁（16）が第２状態に設定され，第３四路切換弁（17）が第１状態に設定される。室外側第１膨張弁（73）及び室外側第２膨張弁（74）は閉鎖される。
【００９９】
蓄熱ユニット（20）では、第４四路切換弁（22）が第２状態に設定され、蓄熱側第１流量調整弁（90）が開放され、蓄熱側第１開閉弁（91）が閉鎖される。蓄熱側第２開閉弁（95）と蓄熱側第３開閉弁（99b）は開放され、蓄熱側流量調整弁（99a）は閉鎖される。流路切換ユニット（30）と室内ユニット（40）の弁の制御は冷房運転や冷房ピークシフト運転と同じである。
【０１００】
冷房ピークカット運転時は、圧縮機（11）から吐出された冷媒が第１室外熱交換器（12a）及び第２室外熱交換器（12b）へは流れずに、第３四路切換弁（17）と第４四路切換弁（22）を通って蓄熱用熱交換器（21）へ流入して放熱する。蓄熱用熱交換器（21）で凝縮ないし冷却された冷媒は、蓄熱側第３開閉弁（99b）と蓄熱側第２開閉弁（95）を通って蓄熱ユニット（20）から流出し、各流路切換ユニット（30）を通って各室内ユニット（40）へ流入する。
【０１０１】
冷媒は、室内膨張弁（42）で減圧された後に室内熱交換器（41）で蒸発し、そのときに室内空気を冷却して室内を冷房する。室内熱交換器（41）で蒸発した冷媒は、流路切換ユニット（30）のガス側接続管（31）及び蓄熱ユニット（20）の蓄熱側第１ガス管（85）を通って室外ユニット（10）に戻る。室外ユニット（10）に戻った冷媒は、アキュムレータ（14）を介して圧縮機（11）に吸入される。
【０１０２】
図１１に冷房ピークカット運転のＰ−ｈ線図を示すように、この状態では、上記冷房運転よりも、冷媒の高低圧力差が非常に小さく、エンタルピ差が大きい。このように、冷房ピークカット運転では高圧圧力が極端に低い冷凍サイクルが行われ、高低圧力差が小さいために圧縮機（11）の入力が少なくて済み、通常の冷房運転時やピークシフト運転時と比べて消費電力が抑えられるとともにＣＯＰ（成績係数）が高くなる。
【０１０３】
〈冷房／冷蓄熱運転〉
図５に示す冷房／冷蓄熱運転は、図２の冷房運転を行いながら、蓄熱用熱交換器（21）を蒸発器にして蓄熱槽（21a）の水を冷却し、冷蓄熱をする運転である。
【０１０４】
この冷房／冷蓄熱運転は、蓄熱ユニット（20）において、蓄熱側流量調整弁（99a）の開度が適宜調整されるとともに蓄熱側第３開閉弁（99b）が閉鎖され、蓄熱側第１流量調整弁（90）が開放されるとともに蓄熱側第１開閉弁（91）が閉鎖される点を除いては、各弁の状態は図２の冷房運転と同じである。
【０１０５】
冷房／冷蓄熱運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）を通過した後、流路切換ユニット（30）で過冷却されて室内ユニット（40）へ流入する。
【０１０６】
室内ユニット（40）では、冷媒が室内膨張弁（42）で減圧され、室内熱交換器（41）で室内空気から吸熱して蒸発する。このとき、室内空気が冷却され、室内が冷房される。室内ユニット（40）から流出した冷媒は、流路切換ユニット（30）のガス側接続管（31）と蓄熱ユニット（20）の蓄熱側第１ガス管（85）を流れる。
【０１０７】
一方、蓄熱側液管（87）を流れる冷媒の一部は蓄熱側第２分岐管（98）に分流し、蓄熱側流量調整弁（99a）で減圧されて蓄熱用熱交換器（21）へ流入し、蒸発する。蒸発した冷媒は、第２接続管（89）及び第１接続管（88）を通って蓄熱側第１ガス管（85）の冷媒と合流する。
【０１０８】
蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【０１０９】
〈冷蓄熱運転〉
図６に示す冷蓄熱運転は、室外熱交換器（12）を放熱器にし、蓄熱用熱交換器（21）を蒸発器にして蓄熱槽（21a）の水を冷却し、冷蓄熱をする運転である。
【０１１０】
この冷蓄熱運転は、室外ユニット（10）の弁の制御は図５の冷房／冷蓄熱運転と同じである。蓄熱ユニット（20）では、蓄熱側第２開閉弁（95）が閉鎖され、冷媒が各流路切換ユニット（30）と各室内ユニット（40）へ流れないようにしている点を除いては、弁の制御は冷房／冷蓄熱運転と同じでよい。
【０１１１】
冷蓄熱運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は蓄熱側第２分岐管（98）に流入し、蓄熱側流量調整弁（99a）で減圧されて蓄熱用熱交換器（21）で蒸発する。
【０１１２】
蒸発した冷媒は、第２接続管（89）及び第１接続管（88）を通って蓄熱側第１ガス管（85）へ流入する。蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【０１１３】
〈暖房運転〉
図７に示す暖房運転は、蓄熱用熱交換器（21）を用いずに、室内熱交換器（41）が放熱器になり、室外熱交換器（12）が蒸発器になる状態で、冷媒が冷媒回路（50）を循環する運転である。
【０１１４】
この暖房運転時、室外ユニット（10）では、第１四路切換弁（15）及び第２四路切換弁（16）は第２状態に設定される。室外側第１膨張弁（73）及び室外側第２膨張弁（74）はいずれも所定開度に制御されるが、室外熱交換器（12）を１台のみで運転する場合は、室外側第１膨張弁（73）及び室外側第２膨張弁（74）の一方が閉鎖される（以下の各運転でも同様）。室外流量調整弁（76）は全開に設定される。
【０１１５】
蓄熱ユニット（20）では、蓄熱側第２開閉弁（95）は閉鎖され、蓄熱側流量調整弁（99a）と蓄熱側第３開閉弁（99b）は閉鎖される。
【０１１６】
流路切換ユニット（30）では、各室内ユニット（40）で暖房運転を行うとすると、第１流路切換弁（34a）が閉鎖され、第２流路切換弁（34b）が開放され、流量調整弁が閉鎖される。室内ユニット（40）では、室内膨張弁（42）が全開に制御される。
【０１１７】
暖房運転時は、圧縮機（11）から吐出された冷媒が第３四路切換弁（17）から蓄熱ユニット（20）の蓄熱側第２ガス管（86）を通り、さらに流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。冷媒は、蓄熱ユニット（20）の蓄熱側液管（87）から第１バイパス通路（96）を通り、室外側液連絡管（53）から室外ユニット（10）へ戻る。
【０１１８】
冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）で減圧された後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１１９】
〈暖房ピークカット運転〉
図８に示す暖房ピークカット運転は、室外熱交換器（12）を用いずに、室内熱交換器（41）が放熱器になり、蓄熱用熱交換器（21）が蒸発器になる状態で、冷媒が冷媒回路（50）を循環する運転である。
【０１２０】
この暖房ピークカット運転時、室外ユニット（10）では、第１四路切換弁（15）及び第２四路切換弁（16）は第２状態に設定され、第３四路切換弁（17）は第１状態に設定される。室外側第１膨張弁（73）及び室外側第２膨張弁（74）は、いずれも閉鎖される。
【０１２１】
蓄熱ユニット（20）では、蓄熱側第２開閉弁（95）は開放され、蓄熱側流量調整弁（99a）は所定開度に制御され、蓄熱側第３開閉弁（99b）は閉鎖される。流路切換ユニット（30）及び室内ユニット（40）では、弁の制御は暖房運転時と同じである。
【０１２２】
暖房ピークカット運転時は、圧縮機（11）から吐出された冷媒が第３四路切換弁（17）から蓄熱ユニット（20）の蓄熱側第２ガス管（86）を通り、さらに流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。
【０１２３】
冷媒は、蓄熱ユニット（20）の蓄熱側液管（87）から第１バイパス通路（96）を通り、さらに蓄熱側第２分岐管（98）を通って蓄熱側流量調整弁（99a）で減圧され、蓄熱熱交換器において蓄熱槽（21a）の中に貯留されている水から吸熱して蒸発する。
【０１２４】
蒸発した冷媒は、第２接続管（89）及び第１接続管（88）を通って蓄熱側第１ガス管（85）へ流入する。蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【０１２５】
〈暖房／温蓄熱運転〉
図９に示す暖房／温蓄熱運転は、室内熱交換器（41）が放熱器になり、室外熱交換器（12）が蒸発器になる状態で、冷媒が冷媒回路（50）を循環する暖房運転を行いながら、蓄熱熱交換器において蓄熱槽（21a）の水を加熱し、温熱を蓄える運転である。
【０１２６】
この暖房／温蓄熱運転時、室外ユニット（10）では、弁は図７の暖房運転と同様に制御される。蓄熱ユニット（20）では、蓄熱側第１流量調整弁（90）は全開に制御され、蓄熱側第１開閉弁（91）は閉鎖される。蓄熱側第２開閉弁（95）及び蓄熱側第３開閉弁（99b）は閉鎖され、蓄熱側流量調整弁（99a）が所定開度に制御される。流路切換ユニット（30）と室内ユニット（40）の弁の制御は図７の暖房運転時と同じである。
【０１２７】
この暖房／温蓄熱運転時は、圧縮機（11）から吐出された冷媒が第３四路切換弁（17）から蓄熱ユニット（20）の蓄熱側第２ガス管（86）を通り、一部は第４四路切換弁（22）から第２接続管（89）へ分流し、残りは流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。冷媒は、蓄熱ユニット（20）の蓄熱側液管（87）から第１バイパス通路（96）を流れる。
【０１２８】
蓄熱側第２ガス管（86）から第４四路切換弁（22）を通って第２接続管（89）へ分流した冷媒は、蓄熱用熱交換器（21）へ流入して蓄熱槽（21a）の水へ放熱し、水を加熱して温熱が蓄えられる。蓄熱用熱交換器（21）で放熱した冷媒は、蓄熱側第２分岐管（98）を通って蓄熱側液管（87）へ流入し、第１バイパス通路（96）を流れた冷媒と蓄熱側液管（87）で合流した後、室外側液連絡管（53）から室外ユニット（10）へ流入する。
【０１２９】
室外ユニット（10）へ流入した冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）を通過した後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１３０】
〈温蓄熱運転〉
図１０に示す温蓄熱運転は、室内熱交換器（41）を使わずに、蓄熱熱交換器が放熱器になり、室外熱交換器（12）が蒸発器になる状態で、冷媒が冷媒回路（50）を循環し、蓄熱熱交換器で温熱を蓄える運転である。
【０１３１】
温蓄熱運転時、室外ユニット（10）では、弁は図７の暖房運転と同様に制御される。蓄熱ユニット（20）では、蓄熱側第１流量調整弁（90）は全開に制御され、蓄熱側第１開閉弁（91）は閉鎖される。蓄熱側第２開閉弁（95）と蓄熱側第３開閉弁（99b）とは閉鎖され、蓄熱側流量調整弁（99a）は所定開度に制御される。流路切換ユニット（30）と室内ユニット（40）では、第１流路切換弁（34a）及び室外膨張弁の少なくとも一方が閉鎖され、室内熱交換器（41）を冷媒が流れるのが阻止される。
【０１３２】
この温蓄熱運転時は、圧縮機（11）から吐出された冷媒が第３四路切換弁（17）から蓄熱ユニット（20）の蓄熱側第２ガス管（86）を通り、第４四路切換弁（22）から第２接続管（89）へ分流する。冷媒は、蓄熱用熱交換器（21）へ流入して蓄熱槽（21a）の水へ放熱し、水を加熱して温熱が蓄えられる。蓄熱用熱交換器（21）で放熱した冷媒は、蓄熱側第２分岐管（98）を通って蓄熱側液管（87）へ流入し、さらに室外側液連絡管（53）から室外ユニット（10）へ流入する。
【０１３３】
室外ユニット（10）へ流入した冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）を通過した後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１３４】
〈コントローラ等の詳細〉
図１２に示すように、本実施形態の空調システム（1）は、空調ユニット（1A）と、上述したコントローラ（5）とを備える。空調ユニット（1A）は、室外ユニット（10）と、蓄熱ユニット（20）と、複数の流路切換ユニット（30）と、複数の室内ユニット（40）とを含む。空調ユニット（1A）は、所定の電源ライン（L）を介して商用電源（C）に接続される。
【０１３５】
電源ライン（L）には、空調ユニット（1A）のシステム全体の使用商用電力を検出するための電力検出部（6）が設けられる。
【０１３６】
コントローラ（5）は、流路切換機構を制御することで、上述した複数の運転を切り換えるように構成される。流路切換機構は、冷媒回路（50）の冷媒の流路を切り換えるように構成される。具体的には、流路切換機構は、冷媒回路（50）に接続された上述の複数の弁で構成され、例えば開閉弁、四路切換弁、逆止弁、流量調節弁、膨張弁などを含む。コントローラ（5）が流路切換機構を制御することで、冷媒の流路が図２〜図１０のように変更され、上述した複数の運転が切り換えられる。
【０１３７】
上述した各運転は、冷房モード及び暖房モードにおいて実行される。冷房モードは、夏季などにおいて室内を冷房するために実行される運転を含む。具体的には、冷房モードは、冷房運転、冷房ピークシフト運転（冷房過冷却運転）、冷房ピークカット運転、冷房／冷蓄熱運転、及び冷蓄熱運転を含んでいる。暖房モードは、冬季などにおいて室内を暖房するために実行される運転を含む。具体的に、暖房モードは、上述した暖房運転、暖房ピークカット運転、暖房／温蓄熱運転、及び温蓄熱運転を含む。
【０１３８】
コントローラ（5）には、受信部（5a）と、空調制御部（5b）、通知部（3）とが設けられる。受信部（5a）には、電力供給者などからの信号が入力される。この信号は、第１信号である抑制指令と、第２信号である促進指令とを含む。抑制指令は、空調システム（1）のシステム全体の使用商用電力を抑制することを要求する信号である。促進指令は、空調システム（1）のシステム全体の使用商用電力を促進することを要求する信号である。
【０１３９】
コントローラ（5）は、抑制指令が受信部（5a）に入力されると、使用商用電力を抑制するための第１運転を実行させる。具体的には、冷房モード中に抑制指令が受信部（5a）に入力されると、第１運転として冷房ピークカット運転が実行される。暖房モード中に抑制指令が受信部（5a）に入力されると、第１運転として暖房ピークカット運転が実行される。第１運転では、蓄熱槽（21a）の蓄熱媒体の熱（冷熱又は温熱）が空調に利用される。これにより、使用商用電力が所定の目標電力以下に抑えられる。
【０１４０】
コントローラ（5）は、促進指令が受信部（5a）に入力されると、使用商用電力を促進するための第２運転を実行させる。具体的には、冷房モード中に抑制指令が受信部（5a）に入力されると、第２運転として冷房／冷蓄熱運転が実行される。暖房モード中に促進指令が受信部（5a）に入力されると、第２運転として暖房／温蓄熱運転が実行される。第２運転では、商用電力の一部が、蓄熱槽（21a）の蓄熱媒体の蓄熱に利用される。これにより、使用商用電力が所定の目標電力以上に維持される。
【０１４１】
ここで、蓄熱槽（21a）は、空調に利用する熱をエネルギーとして蓄える蓄熱部であり、広義には蓄エネルギー部を構成している。
【０１４２】
〈第１運転の概要〉
空調制御部（5b）は、使用商用電力を目標電力以下に抑える第１運転において、通常抑制動作（第１動作）、漸減動作（第２動作）、及び低能力動作（第３動作）を切り換えて実行させる。原則として、いずれの動作においても使用商用電力を目標電力以下に抑えるように空調ユニット（1A）が制御される。これらの動作の概要を説明する。
【０１４３】
通常抑制動作では、蓄熱槽（21a）に蓄えた熱を空調に利用しながら空調ユニット（1A）の空調能力を目標空調能力に近づけるように空調ユニット（1A）が制御される。冷房モードであれば、通常抑制動作は、冷房ピークカット運転の通常の動作に相当する。暖房モードであれば、通常抑制動作は、暖房ピークカット運転の通常の動作に相当する。通常抑制動作において、詳細は後述する条件が成立すると、漸減動作に移行する。
【０１４４】
漸減動作では、蓄熱槽（21a）に残った熱を使い切るように、空調ユニット（1A）の空調能力が徐々に低下していく。冷房モードであれば、漸減動作は、冷房ピークカット運転において冷房能力を徐々に低下させる動作といえる。暖房モードであれば、漸減動作は、暖房ピークカット運転において暖房能力を徐々に低下させる動作といえる。なお、漸減動作は、冷房ピークカット運転において、冷房能力を比較的急峻に低下させてもよい。漸減動作は、暖房ピークカット運転において、暖房能力を比較的急峻に低下させてもよい。コントローラ（5）には、漸減動作の実行時間Ｔ１を設定する設定部が設けられる。漸減動作の開始時点よりＴ１が経過すると、低能力動作に移行する。
【０１４５】
低能力動作は、漸減動作の後、蓄熱槽（21a）の熱が実質的に無くなった状態で実行される。冷房モードであれば、低能力動作は、冷房運転において通常よりも冷房能力が低い動作に相当する。暖房モードであれば、低能力動作は、暖房運転において通常よりも暖房能力が低い動作に相当する。
【０１４６】
〈第２運転の概要〉
空調制御部（5b）は、使用商用電力を目標電力以上に促進する第２運転において、通常促進動作（第４動作）、漸増動作（第５動作）、及び高能力動作（第６動作）を切り換えて実行させる。原則として、いずれの動作においても使用商用電力を目標電力以上に促進するように空調ユニット（1A）が制御される。これらの動作の概要を説明する。
【０１４７】
通常促進動作では、蓄熱槽（21a）に熱を蓄え且つ空調を行いながら空調ユニット（1A）の空調能力を目標空調能力に近づけるように空調ユニット（1A）が制御される。冷房モードであれば、通常促進動作は、冷房／冷蓄熱運転の通常の動作に相当する。暖房モードであれば、通常促進動作は、暖房／温蓄熱運転の通常の動作に相当する。通常促進動作において、詳細は後述する条件が成立すると、漸増動作に移行する。
【０１４８】
漸増動作では、蓄熱槽（21a）の残りの蓄熱容量を使い切るように、空調ユニット（1A）の空調能力が徐々に増加していく。ここでいう、蓄熱容量は、蓄熱槽（21a）の蓄熱媒体の蓄熱量が最大に至るまでの余裕代といえる。冷房モードであれば、漸増動作は、冷房／冷蓄熱運転において冷房能力を徐々に増大させる動作といえる。暖房モードであれば、漸増動作は、暖房／温蓄熱運転において暖房能力を徐々に増大させる動作といえる。なお、漸減動作は、冷房／例蓄熱運転において、冷房能力を比較的急峻に増大させてもよい。漸減動作は、暖房／温蓄熱運転において、暖房能力を比較的急峻に増大させてもよい。コントローラ（5）の設定部には、漸増動作の実行時間Ｔ２が設定される。漸増動作の開始時点よりＴ２が経過すると、高能力動作に移行する。
【０１４９】
高能力動作は、漸増動作の後、蓄熱槽（21a）の蓄熱容量が実質的に無くなった状態で実行される。冷房モードであれば、高能力動作は、冷房運転において通常よりも冷房能力が高い動作に相当する。暖房モードであれば、高能力動作は、暖房運転において通常よりも暖房能力が高い動作に相当する。
【０１５０】
図１２に示すように、空調システム（1）は、上述した漸減動作や漸増動作を実行することを使用者に知らせる通知部（3）を備える。通知部（3）は、漸減動作や漸増動作を実行することを示す文字、サイン、図形などを表示部に表示する。通知部（3）は、例えば空調ユニット（1A）に対応するリモコンや、室内ユニット（40）の化粧パネルに設けられる。通知部（3）は、使用者が所有する通信端末に、漸減動作や漸増動作を実行することを示す情報を送信し、該通信端末の表示部にその旨を表示するものであってもよい。
【０１５１】
〈第１運転の課題〉
抑制指令に応じて第１運転に移行すると、使用商用電力を目標電力以下に抑制するように冷房ピークカット運転や暖房ピークカット運転が行われる。しかし、冷房ピークカット運転中において、例えば外気温度が急激に高くなると、冷房能力を維持するために蓄熱槽（21a）の冷熱が急激に消費されることになる。このことに起因して蓄熱槽（21a）の冷熱が無くなってしまうと、電力の抑制要求を満たすために冷房能力を急激に低下させる必要がある。この場合、室温が急上昇することで室内の快適性が急激に悪化してしまう。
【０１５２】
同様に、暖房ピークカット運転において、例えば外気温度が急激に低くなると、暖房能力を維持するために蓄熱槽（21a）の温熱が急激に消費されることになる。このことに起因して蓄熱槽（21a）の温熱が無くなってしまうと、電力の抑制要求を満たすために暖房能力を急激に低下させる必要がある。この場合、室温が急下降することで室内の快適性が急激に悪化してしまう。
【０１５３】
〈第１運転に係る動作〉
本実施形態は、上記の第１運転の課題に着目し、第１運転において、以下の動作を行うようにしている。この動作について、図１３及び図１４を参照しながら説明する。ここでは、冷房モード時における第１運転の動作について詳細に説明する。
【０１５４】
図１３に示すように、冷房運転では、室内ユニット（40）（室内熱交換器（41））において所定の空調能力（ここでは冷房能力）が得られるように空調ユニット（1A）が制御される。ここで、室内ユニット（40）の空調能力は、例えば冷房モード時の設定温度、及び室内温度（例えば吸込空気の温度）に基づいて決定される。例えば冷房運転中において、受信部（5a）に抑制指令が受信されたとする。この場合、図１４のステップST1からステップST2に移行し、冷房運転から冷房ピークカット運転に切り換わる。
【０１５５】
冷房ピークカット運転の開始時には、通常抑制動作が行われる。通常抑制動作では、蓄熱槽（21a）の冷熱が空調に利用される。通常抑制動作では、使用商用電力が目標電力以下となり、且つ空調能力が必要空調能力に近づくように空調ユニット（1A）が制御される。空調ユニット（1A）には、抑制指令を受信した場合の目標電力が予め設定されている。この目標電力は、冷房ピークカット運転の通常の動作であれば、十分に満たすことができる程度の値に設定されている。
【０１５６】
通常抑制動作中には、ステップST4において、漸減動作の空調に必要な総エネルギーを示す第１値（Ｅ１）が求められる。Ｅ１は、漸減動作の実行時間Ｔ１と、必要空調能力と、目標電力とに基づいて求められる。ここで、Ｅ１は、図１３の点ａ、ｂ、ｃで囲んだ領域の面積に相当する。ここで、点ａ−点ｂ間の長さは、通常抑制動作の必要空調能力に相当する空調に必要なエネルギー（図１３の二点鎖線で示すＬ１）と、第１運転における目標電力との差から求められる。点ｂ−点ｃ間の長さは、Ｔ１に相当する。従って、これらから、Ｅ１に対応する面積を得ることができ、漸減動作に必要な総エネルギーを求めることができる。
【０１５７】
次いで、ステップST5では、蓄熱槽（21a）に蓄えられた蓄熱媒体の残りのエネルギーを示す第２値（Ｅ２）が求められる。Ｅ２は、例えば蓄熱槽（21a）の蓄熱媒体に蓄熱を行う動作や、通常抑制動作の実行時間の履歴、空調能力、必要空調能力などに基づいて求められるが、蓄熱媒体に関する温度や他の物理量に基づいて得ることもできる。
【０１５８】
そして、ステップST6に移行し、蓄熱槽（21a）の残りのエネルギーＥ２が、漸減動作に必要な総エネルギーＥ１に達すると（Ｅ２≦Ｅ１に至ると）、通常抑制動作から漸減動作に移行する。これにより、漸減動作の開始時には、該漸減動作に必要なエネルギー（ここでは、冷熱）が確実に残っているため、所望の漸減動作を確実に実行できる。
【０１５９】
ステップST7では、漸減動作の開始のタイミングに同期して、通知部（3）が漸減動作を実行することを使用者に通知する。ここで、通知部（3）の通知のタイミングは、漸減動作の実行と同じであってもよいし、その直後、あるいはその直前であってもよい。これにより、使用者は漸減動作（即ち、空調能力が徐々に低下していく動作）が開始されたことを直ぐに知ることができる。
【０１６０】
漸減動作が実行されると、空調能力（ここでは冷房能力）が徐々に低下していく。このように、漸減動作では、蓄熱槽（21a）の残り少ない熱（ここでは冷熱）が少しずつ消費されていく。これにより、蓄熱槽（21a）の熱が急に無くなってしまうことを回避できるとともに、室内の温度が急上昇することも回避できる。また、空調能力を徐々に低下させることで、漸減動作においても使用商用電力を目標電力以下に抑えることができる。
【０１６１】
漸減動作が開始された時点からＴ１が経過すると、理論上は、蓄熱槽（21a）の蓄熱量がゼロになる。よって、ステップST9において、実行時間Ｔ１が経過したと判定されると、漸減動作から低能力動作に移行する（ステップST10）。このタイミングでは、蓄熱槽（21a）の蓄熱量がゼロであり、冷房ピークカット運転を継続しても蓄熱槽（21a）から冷熱を得ることができない。このため、低能力動作では、冷房ピークカット運転から冷房運転に切り換えられ、蓄熱用熱交換器（21）を冷媒が流れない冷凍サイクルが行われる。
【０１６２】
低能力動作では、蓄熱槽（21a）の熱を空調に利用できないため、使用商用電力を目標電力以下に維持しようとするのが困難になる。そこで、低能力動作では、蓄熱槽（21a）の蓄熱を利用せずとも使用商用電力を目標電力以下とするように、空調ユニット（1A）の空調能力が必要空調能力よりも低い所定能力に制限される。具体的には、低能力動作では、漸減動作の終了時における空調能力をそのまま維持する。従って、抑制指令が受信部（5a）に受信されている状況下において、使用商用電力が目標電力を上回ることを確実に回避できる。その後、抑制指令が解除されると、通常の冷房運転が再開される。
【０１６３】
以上のような制御により、冷房モード時の第１運転では、使用商用電力を目標電力以下に抑えることができるとともに、蓄熱槽（21a）の冷熱が無くなったとしても、冷房能力が急激に低下することがない。従って、蓄熱槽（21a）の冷熱不足に起因して室内の快適性が急激に悪化することを回避できる。
【０１６４】
なお、暖房モード時の第１運転においても、冷房モードと同様の制御が行われる。よって、暖房モード時の第１運転においても、使用商用電力を目標電力以下に抑えることができるとともに、蓄熱槽（21a）の温熱が無くなったとしても、暖房能力が急激に低下することがない。従って、蓄熱槽（21a）の温熱不足に起因して室内の快適性が急激に悪化することを回避できる。
【０１６５】
〈第２運転の課題〉
促進指令に応じて第２運転に移行すると、使用商用電力を目標電力以上に促進するように冷房／冷蓄熱運転や暖房／温蓄熱運転が行われる。しかし、冷房／冷蓄熱運転中において、例えば外気温度が急激に低くなると、蓄熱槽（21a）に蓄えられる冷熱量が急激に増大していく。このことに起因して蓄熱槽（21a）の蓄熱容量が最大に至ると、電力の促進要求を満たすために冷房能力を急激に増大させる必要がある。この場合、室温が急下降することで室内の快適性が急激に悪化してしまう。
【０１６６】
同様に、暖房／温蓄熱運転中において、例えば外気温度が急激に高くなると、蓄熱槽（21a）に蓄えられる温熱量が急激に増大していく。このことに起因して蓄熱槽（21a）の蓄熱容量が最大に至ると、電力の促進要求を満たすために暖房能力を急激に増大させる必要がある。この場合、室温が急上昇することで室内の快適性が急激に悪化してしまう。
【０１６７】
〈第２運転に係る動作〉
本実施形態は、上記の第２運転の課題に着目し、第２運転において、以下の動作を行うようにしている。この動作について、図１５及び図１６を参照しながら説明する。ここでは、冷房モード時における第２運転の動作について詳細に説明する。
【０１６８】
図１５に示すように、冷房運転では、室内ユニット（40）（室内熱交換器（41））において所定の空調能力（ここでは冷房能力）が得られるように空調ユニット（1A）が制御される。ここで、室内ユニット（40）の空調能力は、例えば冷房モード時の設定温度、及び室内温度（例えば吸込空気の温度）に基づいて決定される。例えば冷房運転中において、受信部（5a）に促進指令が受信されたとする。この場合、図１６のステップST11からステップST12に移行し、冷房運転から冷房／冷蓄熱運転に切り換わる。
【０１６９】
冷房／冷蓄熱運転の開始時には、通常促進動作が行われる。通常促進動作では、蓄熱槽（21a）に冷熱が蓄えられると同時に空調が行われる。通常促進動作では、使用商用電力が目標電力以上となり、且つ空調能力が必要空調能力に近づくように空調ユニット（1A）が制御される。空調ユニット（1A）には、促進指令を受信した場合の目標電力が予め設定されている。この目標電力は、冷房／冷蓄熱運転の通常の動作であれば、十分に満たすことができる程度の値に設定されている。
【０１７０】
通常促進動作中には、ステップST14において、漸増動作の空調に必要な総エネルギー容量を示す第３値（Ｅ３）が求められる。ここで、エネルギー容量は、蓄熱槽（21a）の蓄熱容量に対応する。つまり、Ｅ３は、漸増動作を実行するために必要な蓄熱槽（21a）の蓄熱容量といえる。Ｅ３は、漸増動作の実行時間Ｔ２と、必要空調能力と、目標電力とに基づいて求められる。ここで、Ｅ３は、図１５の点ｄ、ｅ、ｆで囲んだ領域の面積に相当する。ここで、点ｄ−点ｅ間の長さは、第２運転における目標電力と、通常促進動作の必要空調能力に相当する空調に必要なエネルギー（図１５の二点鎖線で示すＬ２）との差から求められる。点ｅ−点ｆ間の長さは、Ｔ２に相当する。従って、これらから、Ｅ３に対応する面積を得ることができ、漸増動作に必要な総エネルギー容量を求めることができる。
【０１７１】
次いで、ステップST15では、蓄熱槽（21a）の残りのエネルギー容量を示す第４値（Ｅ４）が求められる。Ｅ４は、蓄熱槽（21a）の残りの蓄熱容量に対応する。Ｅ４は、例えば蓄熱槽（21a）の蓄熱媒体に蓄熱を利用する動作や、通常促進動作の実行時間の履歴、空調能力、必要空調能力などに基づいて求められるが、蓄熱媒体の温度や他の指標に基づいて得ることもできる。
【０１７２】
そして、ステップST16に移行し、蓄熱槽（21a）の残りのエネルギー容量Ｅ4が、漸増動作に必要な総エネルギー容量Ｅ３に達すると（Ｅ４≦Ｅ３に至ると）、通常促進動作から漸増動作に移行する。これにより、漸増動作の開始時には、該漸増動作に必要なエネルギー容量（ここでは、冷熱を蓄えるための蓄熱容量）が確実に残っているため、所望の漸増動作を確実に実行できる。
【０１７３】
ステップST17では、漸増動作の開始のタイミングに同期して、通知部（3）が漸増動作を実行することを使用者に通知する。ここで、通知部（3）の通知のタイミングは、漸増動作の実行と同じであってもよいし、その直後、あるいはその直前であってもよい。これにより、使用者は漸増動作（即ち、空調能力が徐々に増大していく動作）が開始されたことを直ぐに知ることができる。
【０１７４】
漸増動作が実行されると、空調能力（ここでは冷房能力）が徐々に増大していく。このように、漸増動作では、蓄熱槽（21a）の残り少ない蓄熱容量（ここでは冷熱容量）が少しずつ消費されていく。これにより、蓄熱槽（21a）の蓄熱容量が急に無くなってしまうことを回避できるとともに、室内の温度が急上昇することも回避できる。また、空調能力を徐々に増大させることで、漸増動作においても使用商用電力を目標電力以上に維持できる。
【０１７５】
漸増動作が開始された時点からＴ２が経過すると、理論上は、蓄熱槽（21a）の蓄熱容量がゼロになる。よって、ステップST19において、実行時間Ｔ２が経過したと判定されると、漸増動作から高能力動作に移行する（ステップST20）。このタイミングでは、蓄熱槽（21a）の蓄熱容量がゼロであり、冷房／冷蓄熱運転を継続しても蓄熱槽（21a）に冷熱を蓄えることができない。このため、高能力動作では、冷房／冷蓄熱運転から冷房運転に切り換えられ、蓄熱用熱交換器（21）を冷媒が流れない冷凍サイクルが行われる。
【０１７６】
高能力動作では、蓄熱槽（21a）に熱を蓄えることができないため、使用商用電力を目標電力以上に維持しようとするのが困難になる。そこで、高能力動作では、蓄熱槽（21a）に蓄熱せずとも使用商用電力を目標電力以上とするように、空調ユニット（1A）の空調能力が必要空調能力よりも高い所定能力に維持される。具体的には、高能力動作では、漸増動作の終了時における空調能力をそのまま維持する。従って、促進指令が受信部（5a）に受信されている状況下において、使用商用電力が目標電力を下回ることを確実に回避できる。その後、促進指令が解除されると、通常の冷房運転が再開される。
【０１７７】
以上のような制御により、冷房モード時の第２運転では、使用商用電力を目標電力以上に維持できるとともに、蓄熱槽（21a）の蓄熱容量が無くなったとしても、冷房能力が急激に増大することがない。従って、蓄熱槽（21a）の冷熱の蓄熱容量が飽和に至ることに起因して室内の快適性が急激に悪化することを回避できる。
【０１７８】
なお、暖房モード時の第２運転においても、冷房モードと同様の制御が行われる。よって、暖房モード時の第２運転においても、使用商用電力を目標電力以上に維持できるとともに、蓄熱槽（21a）の温熱の蓄熱容量が無くなったとしても、暖房能力が急激に増大することがない。従って、蓄熱槽（21a）の温熱の容量が飽和に至ることに起因して室内の快適性が急激に悪化することを回避できる。
【０１７９】
−実施形態１の効果−
実施形態１では、エネルギーを蓄える蓄熱槽（21a）（蓄エネルギー部）を有する空調ユニット（1A）と、システム全体の使用商用電力を目標電力以下としながら空調ユニット（1A）で空調を行うように空調ユニット（1A）を制御するコントローラ（5）（制御装置）とを備えた空調システムであって、コントローラ（5）は、蓄熱槽（21a）の蓄熱媒体の熱（エネルギー）を空調ユニット（1A）の空調に利用しながら空調ユニット（1A）の空調能力を必要空調能力に近づける通常抑制動作（第１動作）と、該通常抑制動作の後、空調ユニット（1A）の空調能力を低下させる漸減動作（第２動作）を実行するように構成され、コントローラ（5）は、通常抑制動作中において、蓄熱槽（21a）の残りの蓄熱媒体の熱（エネルギー）を示すＥ２（第２値）が、漸減動作に必要な総エネルギーを示すＥ１（第１値）に至る条件が成立すると、通常抑制動作から漸減動作に切り換える。
【０１８０】
これにより、通常抑制動作から漸減動作に切り換わった際には、蓄熱槽（21a）において漸減動作に必要な熱を十分に確保できる。従って、漸減動作では、蓄熱槽（21a）の熱を徐々に消費するように空調ユニット（1A）の空調能力を低下させることができる。従って、蓄熱槽（21a）の熱が急に無くなることに起因して室内の快適性が急激に悪化することを回避しつつ、使用商用電力を目標電力以下に抑えることができる。
【０１８１】
上記実施形態１では、コントローラ（5）は、通常抑制動作中において、前記Ｅ１（第１値）を求める。
【０１８２】
実施形態１では、漸減動作を実行することを使用者に知らせる通知部（3）を備える。漸減動作では空調能力が徐々に低下していくが、使用者は、このことを事前に把握できる。
【０１８３】
実施形態１のコントローラ（5）は、予め決定された第２動作の実行時間Ｔ１と、必要空調能力と、目標電力とに基づいて、前記Ｅ１（第１値）を求める。これにより、漸減動作に必要な総エネルギーを容易に算出できる。
【０１８４】
実施形態１のコントローラ（5）は、漸減動作の後、システム全体の使用商用電力を目標電力以下としながら蓄熱槽（21a）の熱（エネルギー）を利用せずに空調ユニット（1A）を制御する低能力動作（第３動作）を実行させる。これにより、蓄熱槽（21a）の熱が無くなったとしても、使用商用電力を目標電力以下に抑制しつつ、空調ユニット（1A）の運転を継続できる。
【０１８５】
実施形態１では、空調ユニット（1A）と、熱（エネルギー）を蓄える蓄熱槽（21a）（蓄エネルギー部）と、システム全体の使用商用電力を目標電力以上としながら空調ユニット（1A）で空調を行うように空調ユニット（1A）を制御するコントローラ（5）（制御装置）とを備えた空調システムであって、コントローラ（5）は、商用電力を蓄熱槽（21a）に熱（エネルギー）として蓄えながら空調ユニット（1A）の空調能力を必要空調能力に近づける通常促進動作（第４動作）と、通常促進動作の後、空調ユニット（1A）の空調能力を増大させる漸増動作（第５動作）を実行するように構成されるとともに、通常促進動作中において、蓄熱槽（21a）の残りの蓄熱容量（エネルギー容量）を示すＥ４（第４値）が、漸増動作に必要な総エネルギー容量Ｅ３（第３値）に至る条件が成立すると、通常促進動作から漸増動作に切り換える。これにより、通常促進動作から漸増動作に切り換わった際には、蓄熱槽（21a）において漸増動作に必要な蓄熱容量を十分に確保できる。従って、漸増動作では、蓄熱槽（21a）の蓄熱容量を徐々に消費するように空調ユニット（1A）の空調能力を増加させることができる。従って、蓄熱槽（21a）の蓄熱容量が急に無くなることに起因して室内の快適性が急激に悪化することを回避しつつ、使用商用電力を目標電力以上に維持できる。
【０１８６】
実施形態１では、コントローラ（5）が、通常促進動作中において、漸増動作に必要な総エネルギー容量Ｅ３（第３値）を求める。
【０１８７】
実施形態１では、漸増動作を実行することを使用者に知らせる通知部（3）を備えている。漸増動作では空調能力が徐々に増大していくが、使用者は、このことを事前に把握できる。
【０１８８】
実施形態１のコントローラ（5）は、予め決定された漸増動作の実行時間Ｔ２と、必要空調能力と、目標電力とに基づいて、前記Ｅ３（第３値）を求める。これにより、漸増動作に必要な総エネルギーを容易に算出できる。
【０１８９】
実施形態１のコントローラ（5）は、漸増動作の後、システム全体の使用商用電力を目標使用電力以上としながら蓄熱槽（21a）に熱（エネルギー）を蓄えずに空調ユニット（1A）を制御する高能力動作を実行させる。これにより、蓄熱槽（21a）の蓄熱容量が無くなったとしても、使用商用電力を目標電力以上に維持しつつ、空調ユニット（1A）の運転を継続できる。
【０１９０】
実施形態１の蓄エネルギー部は、空調ユニット（1A）の空調に利用する熱をエネルギーとして蓄える蓄熱槽（21a）（蓄熱部）で構成される。このため、冷凍サイクルにより取り出した冷熱や温熱を利用しながら、上記の第１運転及び第２運転を実行できる。
【０１９１】
《実施形態２》
実施形態２の空調システム（1）は、実施形態１の空調ユニット（1A）に加えて、蓄電池を含む蓄電装置（100）を備えている。つまり、実施形態２の空調システム（1）は、蓄熱の機能に加えて、商用電源（C）の電力を蓄えたり、充電した電力を空調ユニット（1A）に供給したりする蓄電の機能も有する。蓄電装置（100）は、電力をエネルギーとして蓄える蓄エネルギー部を構成している。
【０１９２】
図１７に模式的に示すように、空調システム（1）の電源ライン（L）には、電力切換回路（7）が接続される。電力切換回路（7）は、交流電力及び直流電力を相互に変換する電力変換回路を含んでいる。電力切換回路（7）は、商用電源（C）の商用電力が空調ユニット（1A）のみに供給される状態（第１状態）と、商用電源（C）の商用電力が蓄電装置（100）のみに供給される状態（第２状態）と、商用電源（C）の商用電力が空調ユニット（1A）及び蓄電装置（100）に供給される状態（第３状態）と、商用電源（C）の商用電力、及び蓄電装置（100）に蓄えられた電力が空調ユニット（1A）に供給される状態（第４状態）とに切り換え可能に構成される。
【０１９３】
コントローラ（5）には、受信部（5a）、空調制御部（5b）、及び電力制御部（5c）が設けられる。電力制御部（5c）は、電力切換回路（7）の状態を切り換えたり、蓄電装置（100）に蓄える電力や、蓄電装置（100）から空調ユニット（1A）に供給する電力を制御したりする。
【０１９４】
〈第１運転の概要〉
実施形態２の第１運転では、上述した実施形態１と同様、通常抑制動作（第１動作）、漸減動作（第２動作）、及び低能力動作（第３動作）が行われる。実施形態２の第１運転では、実施形態１と同様、使用商用電力が目標電力以下に抑えられる。また、実施形態２の通常抑制動作では、実施形態１と同様、空調能力が必要空調能力に近づくように空調ユニット（1A）が制御される。
【０１９５】
図１８に示すように、実施形態２の通常抑制動作は、更に蓄熱利用動作、同時利用動作、及び蓄電利用動作に大別される。これらの動作の概要を以下に説明する。
【０１９６】
蓄熱利用動作は、蓄熱槽（21a）で蓄えた熱を空調ユニット（1A）の空調に利用する動作である。蓄熱利用動作では、蓄電装置（100）が停止状態となる。冷房モード時の蓄熱利用動作では、冷房ピークカット運転が実行され、蓄熱槽（21a）に蓄えた冷熱が室内の冷房に利用される。暖房モード時の蓄熱利用動作では、暖房ピークカット運転が実行され、蓄熱槽（21a）に蓄えた温熱が室内の暖房に利用される。
【０１９７】
同時利用動作は、蓄熱槽（21a）で蓄えた熱と、蓄電装置（100）に蓄えた電力との双方を空調ユニット（1A）の空調に利用する動作である。冷房モード時の同時利用動作では、冷房ピークカット運転が実行され、蓄熱槽（21a）に蓄えた冷熱が室内の冷房に利用される。同時に、蓄電装置（100）の充電力が室内の冷房に利用される。暖房モード時の同時利用動作では、暖房ピークカット運転が実行され、蓄熱槽（21a）に蓄えた温熱が室内の暖房に利用される。同時に、蓄電装置（100）の充電力が室内の暖房に利用される。
【０１９８】
蓄電利用動作は、蓄電装置（100）に蓄えた電力を空調ユニット（1A）の空調に利用する動作である。蓄電利用動作では、蓄熱槽（21a）の熱が空調に利用されない。冷房モード時の蓄電利用動作では、冷房運転が実行され、蓄電装置（100）の充電力が室内の冷房に利用される。暖房モード時の蓄電利用動作では、暖房運転が実行され、蓄電装置（100）の充電力が室内の暖房に利用される。
【０１９９】
〈第１運転の詳細な動作〉
実施形態２の第１運転について、図１８を参照しながら時系列に沿って詳細に説明する。ここでは、冷房モード時における第１運転の動作について詳細に説明する。
【０２００】
冷房運転中において、受信部（5a）に抑制指令が受信されると、通常抑制動作が実行される。本実施形態の通常抑制動作では、蓄熱利用動作、同時利用動作、蓄電利用動作の順に実行される。よって、まず蓄熱利用動作によって蓄熱槽（21a）の冷熱が消費されていく。ここで、蓄熱槽（21a）の蓄熱量（冷熱量）が少なくなり所定値以下になると、同時利用動作に移行する。蓄熱槽（21a）の蓄熱量は、例えば蓄熱槽（21a）の蓄熱媒体に蓄熱を行う動作や、蓄熱利用動作の実行時間の履歴、空調能力、必要空調能力などに基づいて求められるが、蓄熱媒体に関する温度や他の物理量に基づいて得ることもできる。
【０２０１】
図１８に模式的に示すように、同時利用動作では、蓄熱槽（21a）の冷熱量が僅かになると、蓄熱利用による削減電力が減少していく。このことは、蓄熱槽（21a）内の冷熱量が僅かになると、蓄熱媒体と冷媒の熱交換の効率が下がることが一つの要因となる。そこで、同時利用動作では、コントローラ（5）の電力制御部（5c）により、蓄電装置（100）から室内ユニット（40）へ補充される電力を増大させる制御が行われる。これにより、冷熱を利用する削減電力の低下を補うように、空調ユニット（1A）に電力が補充されていく。この結果、空調能力を必要要求能力に維持するとともに、使用商用電力が目標電力を上回ってしまうことを確実に回避できる。
【０２０２】
同時利用動作において蓄熱槽（21a）の蓄熱量が完全になくなると、同時利用動作から蓄電利用動作に移行する。この際、空調ユニット（1A）は、冷房ピークカット運転から冷房運転に移行する。蓄電利用動作では、蓄電装置（100）の充電力が空調ユニット（1A）に補充されることで、目標電力及び必要空調能力を補償する運転が継続される。
【０２０３】
本実施形態では、この蓄電利用動作において、実施形態１と同様にして、漸減動作に必要な総エネルギーＥ１と、蓄電装置（100）の残りのエネルギーＥ２とが適宜求められる。ここで、Ｅ１及びＥ２は、蓄電装置（100）の充電力に対応する。
【０２０４】
実施形態１と同様、蓄電利用動作において、Ｅ２がＥ１に達すると（Ｅ２≦Ｅ１に至る）と、蓄電利用動作から漸減動作に移行する。これにより、漸減動作の開始時には、漸減動作に必要なエネルギー（ここでは、蓄電装置（100）の充電力）が確実に残っているため、所望の漸減動作を確実に実行できる。実施形態２の漸減動作では、蓄えた熱の利用がないため、冷房運転がそのまま継続して実行される。
【０２０５】
漸減動作が実行されると、空調能力（ここでは冷房能力）が徐々に低下していく。このように、漸減動作では、蓄電装置（100）の残り少ない充電力が少しずつ消費されていく。これにより、蓄電装置（100）の充電力が急に無くなってしまうことを回避できるとともに、室内の温度が急上昇することも回避できる。また、空調能力を徐々に低下させることで、漸減動作においても使用商用電力を目標電力以下に抑えることができる。また、実施形態１と同様、通知部（3）は、漸減動作を実行したことを使用者に通知する。
【０２０６】
漸減動作が開始された時点からＴ１が経過すると、理論上は、蓄電装置（100）の充電力がゼロとなる。よって、実行時間Ｔ１が経過したと判定されると、漸減動作から低能力動作に移行する。低能力動作では、冷房運転がそのまま継続されるとともに、漸減動作の終了時の空調能力もそのまま維持される。これにより、空調ユニット（1A）の空調能力が抑えられ、使用商用電力を目標電力以下に確実に抑えることができる。
【０２０７】
詳細の説明は省略するが、暖房モード時の第１運転においても、冷房モード時の第１運転と同様の動作が行われる。
【０２０８】
〈第２運転の概要〉
実施形態２の第２運転では、上述した実施形態１と同様、通常促進動作（第４動作）、漸増動作（第５動作）、及び高能力動作（第６動作）が行われる。実施形態２の第２運転では、実施形態２と同様、使用商用電力が目標電力以上に促進される。また、実施形態２の通常促進動作では、実施形態１と同様、空調能力が必要空調能力に近づくように空調ユニット（1A）が制御される。
【０２０９】
図１９に示すように、実施形態２の通常促進動作は、更に蓄熱動作、同時蓄エネ動作、及び蓄電動作に大別される。これらの動作の概要を以下に説明する。
【０２１０】
蓄熱動作は、蓄熱槽（21a）に熱を蓄えながら空調ユニット（1A）で空調を行う動作である。蓄熱動作では、蓄電装置（100）が停止状態となる。冷房モード時の蓄熱動作では、冷房／冷蓄熱運転が実行され、蓄熱槽（21a）に冷熱を蓄えながら室内の冷房が行われる。暖房モード時の蓄熱動作では、暖房／温蓄熱運転が実行され、蓄熱槽（21a）に温熱を蓄えながら室内の暖房が行われる。
【０２１１】
同時蓄エネ動作は、蓄熱槽（21a）に熱を蓄え、且つ蓄電装置（100）に商用電力を蓄えながら空調ユニット（1A）で空調を行う動作である。冷房モード時の同時蓄エネ動作では、冷房／冷蓄熱運転が実行され、蓄熱槽（21a）に冷熱が蓄えられると同時に、蓄電装置（100）に商用電力が蓄えられながら、室内の冷房が行われる。暖房モード時の同時蓄エネ動作では、暖房／温蓄熱運転が実行され、蓄熱槽（21a）に温熱が蓄えられると同時に、蓄電装置（100）に商用電力が蓄えられながら、室内の暖房が行われる。
【０２１２】
蓄電動作は、蓄電装置（100）に商用電力を蓄えながら空調ユニット（1A）で空調を行う動作である。蓄電動作では、蓄熱槽（21a）に熱が蓄えられない。冷房モード時の蓄電動作では、冷房運転が実行され、蓄電装置（100）に商用電力が蓄えられる。暖房モード時の蓄電動作では、暖房運転が実行され、蓄電装置（100）に商用電力が蓄えられる。
【０２１３】
〈第２運転の詳細な動作〉
実施形態２の第２運転について、図１９を参照しながら時系列に沿って詳細に説明する。ここでは、冷房モード時における第２運転の動作について詳細に説明する。
【０２１４】
冷房運転中において、受信部（5a）に促進指令が受信されると、通常促進動作が実行される。本実施形態の通常促進動作では、蓄熱動作、同時蓄エネ動作、蓄電動作の順に実行される。よって、まず蓄熱動作によって蓄熱槽（21a）の冷熱が蓄えられていく。ここで、蓄熱槽（21a）の残りの蓄熱容量が少なくなり所定値以下になると、同時蓄エネ動作に移行する。蓄熱槽（21a）の残りの蓄熱容量は、例えば蓄熱槽（21a）の蓄熱媒体の蓄熱を利用する動作や、蓄熱動作の実行時間の履歴、空調能力、必要空調能力などに基づいて求められるが、蓄熱媒体に関する温度や他の物理量に基づいて得ることもできる。
【０２１５】
図１９に模式的に示すように、同時蓄エネ動作では、蓄熱槽（21a）の冷熱の蓄熱容量が僅かになると、蓄熱による使用商用電力が減少していく。このことは、蓄熱槽（21a）内の蓄熱容量が僅かになると、蓄熱媒体と冷媒の熱交換の効率が下がることが一つの要因となる。そこで、同時蓄エネ動作では、コントローラ（5）の電力制御部（5c）により、蓄電装置（100）に蓄える商用電力を増大させる制御が行われる。これにより、蓄熱による使用商用電力の減少を補うように、蓄電装置（100）の充電が行われる。この結果、空調能力を必要要求能力に維持するとともに、使用商用電力が目標電力を下回ってしまうことを確実に回避できる。
【０２１６】
同時蓄エネ動作において蓄熱槽（21a）の蓄熱容量が完全になくなると、同時蓄エネ動作から蓄電動作に移行する。この際、空調ユニット（1A）は、冷房／冷蓄熱運転から冷房運転に移行する。蓄電動作では、蓄電装置（100）に商用電力が充電されることで、目標電力及び必要空調能力を補償する運転が継続される。
【０２１７】
本実施形態では、この蓄電動作において、実施形態１と同様にして、漸増動作に必要な総エネルギー容量Ｅ３と、蓄電装置（100）の残りのエネルギー容量Ｅ４とが適宜求められる。ここで、Ｅ３及びＥ４は、蓄電装置（100）の蓄電容量に対応する。
【０２１８】
実施形態１と同様、蓄電動作において、Ｅ４がＥ３に達すると（Ｅ４≦Ｅ３に至る）と、蓄電動作から漸増動作に移行する。これにより、漸増動作の開始時には、漸増動作に必要なエネルギー容量（ここでは、蓄電装置（100）の蓄電容量）が確実に残っているため、所望の漸増動作を確実に実行できる。実施形態２の漸増動作では、蓄えた熱の利用がないため、冷房運転がそのまま継続して実行される。
【０２１９】
漸増動作が実行されると、空調能力（ここでは冷房能力）が徐々に増大していく。このように、漸増動作では、蓄電装置（100）の残り少ない蓄電容量が少しずつ減っていく。これにより、蓄電装置（100）の残りの蓄電容量が急に無くなってしまうことを回避できるとともに、室内の温度が急低下することも回避できる。また、空調能力を徐々に増大させることで、漸増動作においても使用商用電力を目標電力以上に維持できる。また、実施形態２と同様、通知部（3）は、漸増動作を実行したことを使用者に通知する。
【０２２０】
漸増動作が開始された時点からＴ２が経過すると、理論上は、蓄電装置（100）の残りの蓄電容量がゼロとなる。よって、実行時間Ｔ２が経過したと判定されると、漸増動作から高能力動作に移行する。高能力動作では、冷房運転がそのまま継続されるとともに、漸増動作の終了時の空調能力もそのまま維持される。これにより、空調ユニット（1A）の空調能力が維持され、使用商用電力を目標電力以下に確実に抑えることができる。
【０２２１】
詳細の説明は省略するが、暖房モード時の第２運転においても、冷房モード時の第２運転と同様の動作が行われる。
【０２２２】
−実施形態２の効果−
実施形態２では、蓄エネルギー部が、空調ユニット（1A）の空調に利用する熱をエネルギーとして蓄える蓄熱槽（21a）（蓄熱部）と、空調ユニット（1A）の空調に利用する電力をエネルギーとして蓄える蓄電装置（100）とで構成される。これにより、通常抑制動作では、蓄熱槽（21a）の熱と、蓄電装置（100）の電力との双方を空調に利用できるため、使用商用電力が目標電力を上回ることを抑制できる。
【０２２３】
実施形態２の通常抑制動作は、蓄熱槽（21a）に蓄えた熱を空調ユニット（1A）の空調に利用する熱利用動作と、蓄電装置（100）に蓄えた電力を空調ユニット（1A）の空調に利用する蓄電利用動作とを含んでいる。これにより、運転状況に応じて熱利用動作と蓄電利用動作とを適宜切り換えることができる。
【０２２４】
実施形態２の通常抑制動作は、熱利用動作、蓄電利用動作に加えて、蓄熱槽（21a）に蓄えた熱と、蓄電装置（100）に蓄えた電力との双方を空調ユニット（1A）の空調に利用する同時利用動作を含んでいる。これにより、運転状況に応じて、これら３つの動作を適宜切り換えることができる。
【０２２５】
実施形態２のコントローラ（5）は、通常抑制動作において、熱利用動作、同時利用動作、及び蓄電利用動作を順に実行させる。蓄熱槽（21a）の熱は、空調ユニット（1A）のみに用いられる一方、蓄電装置（100）の蓄電力は、他の電気機器にも利用可能である。このため、熱利用動作を蓄電利用動作よりも優先する。熱利用動作と蓄電利用動作との間に、同時利用動作を実行させることで、蓄熱槽（21a）の熱が残っている状態で、蓄電装置（100）の充電力を利用できる。このため、蓄電装置（100）の充電力が供給されていない状態で蓄熱槽（21a）の熱が無くなってしまうことを回避でき、使用商用電力が目標電力を上回ってしまうことを回避できる。
【０２２６】
実施形態２のコントローラ（5）は、同時利用動作において、蓄電装置（100）から空調ユニット（1A）への電力の供給量を徐々に増大する。同時利用動作では、蓄熱槽（21a）の熱が僅かになることに起因して電力削減効率が低下する傾向にある。これに伴い蓄電装置（100）の充電力の供給量を徐々に増大することで、使用商用電力を確実に目標電力以下に抑えることができる。なお、同時利用動作において、蓄電装置（100）から空調ユニット（1A）への電力の供給量を比較的急峻に増大させてもよい。
【０２２７】
実施形態２では、蓄エネルギー部は、エネルギーを熱として蓄える蓄熱槽（21a）と、エネルギーを電力として蓄える蓄電装置（100）とで構成される。これにより、通常促進動作では、商用電力を蓄熱槽（21a）の熱、及び蓄電装置（100）の充電力として消費できるため、使用商用電力が目標電力を下回ることを抑制できる。
【０２２８】
実施形態２の通常促進動作は、蓄熱槽（21a）に熱を蓄える蓄熱動作と、蓄電装置（100）に電力を蓄える蓄電動作とを含んでいる。これにより、運転状況に応じて蓄熱動作と、蓄電利用動作とを適宜切り換えることができる。
【０２２９】
実施形態２の通常促進動作は、蓄熱動作と、蓄電動作に加えて、蓄熱槽（21a）に熱を蓄えると同時に蓄電装置（100）に電力を蓄える同時蓄エネ動作を含んでいる。これにより、運転状況に応じて、これら３つの動作を適宜切り換えることができる。
【０２３０】
実施形態２のコントローラ（5）は、通常促進動作において、蓄熱動作、同時蓄エネ動作、及び蓄電動作を順に実行させる。蓄熱槽（21a）の熱は、空調ユニット（1A）のみに用いられる一方、蓄電装置（100）の蓄電力は、他の電気機器にも利用可能である。このため、蓄熱動作を蓄電動作よりも優先する。蓄熱動作と蓄電動作との間に、同時蓄エネ動作を実行させることで、蓄熱槽（21a）の蓄熱容量が残っている状態で、蓄電装置（100）に商用電力を供給できる。このため、蓄電装置（100）に商用電力が供給されていない状態で蓄熱槽（21a）の蓄熱容量が無くなってしまうことを回避でき、使用商用電力が目標電力を下回ってしまうことを回避できる。
【０２３１】
実施形態２のコントローラ（5）は、同時蓄エネ動作において、蓄電装置（100）に蓄える電力を徐々に増大する。同時蓄エネ動作では、蓄熱槽（21a）の蓄熱容量が僅かになることに起因して使用商用電力が低下する傾向にある。これに伴い蓄電装置（100）に蓄える商用電力を徐々に増大することで、使用商用電力を確実に目標電力以上に維持できる。なお、同時省エネ動作において、蓄電装置（100）に蓄える電力を比較的急峻に増大させてもよい。
【０２３２】
〈実施形態２の変形例〉
上記実施形態２の通常抑制動作では、蓄熱利用動作、同時利用動作、及び蓄電利用動作を順に実行している。しかしながら、これらを異なる順で実行してもよい。通常抑制動作では、例えば蓄電利用動作、同時利用動作、蓄熱利用動作を順に実行してもよい。この場合、漸減動作では、蓄熱媒体の蓄熱量を徐々に消費するように、空調能力を徐々に低下させる。蓄熱利用動作において、蓄熱媒体の残りのエネルギーＥ２が、漸減動作に必要な蓄熱媒体の総エネルギーＥ１に達すると、蓄熱利用動作から漸減動作に移行する。
【０２３３】
上記実施形態２の通常促進動作では、蓄熱動作、同時蓄エネ動作、及び蓄電動作を順に実行している。しかしながら、これらを異なる順で実行してもよい。通常促進動作では、例えば蓄電動作、同時蓄エネ動作、蓄熱動作を順に実行してもよい。この場合、漸増動作では、蓄熱媒体の蓄熱容量を徐々に消費するように、空調能力を徐々に増大させる。蓄熱動作において、蓄熱媒体の残りのエネルギー容量Ｅ４が、漸増動作に必要な蓄熱媒体の総エネルギー容量Ｅ３に達すると、蓄熱動作から漸増動作に移行する。
【０２３４】
《実施形態３》
実施形態３の空調システム（1）は、空調ユニット（1A）に蓄熱の機能が付与されていない。つまり、空調ユニット（1A）では、実施形態１の蓄熱ユニット（20）が省略されている。従って、室内ユニット（40）は、冷房運転、暖房運転を実行可能である一方、実施形態１の他の運転は実行できない。冷房運転では、室外ユニット（10）の室外熱交換器（12）が放熱器（凝縮器）となり、室内ユニット（40）の室内熱交換器（41）が蒸発器となる冷凍サイクルが行われる。暖房運転では、室内ユニット（40）の室内熱交換器（41）が放熱器（凝縮器）となり、室外ユニット（10）の室外熱交換器（12）が蒸発器となる冷凍サイクルが行われる。
【０２３５】
実施形態３の空調システム（1）は、実施形態２と同様、蓄電装置（100）及び電力切換回路（7）を備えている。コントローラ（5）には、実施形態２と同様、コントローラ（5）には電力制御部（5c）が設けられる。
【０２３６】
〈第１運転〉
実施形態３においても、実施形態１と同様、抑制指令に応じて第１運転が行われる。ただし、実施形態３の第１運転では、冷房ピークカット運転などが行われず、冷房運転が継続される。
【０２３７】
冷房運転において、抑制指令が受信部（5a）に受信されると、第１動作（通常抑制動作）が実行される。通常抑制動作では、蓄電装置（100）から空調ユニット（1A）に充電力が供給される。これにより、空調能力を必要空調能力に維持しながら、使用商用電力を目標電力以下に抑えることができる。
【０２３８】
通常抑制動作では、その後の漸減動作に必要な総エネルギーＥ１が算出される。通常抑制動作において、蓄電装置（100）の残りの蓄電力（エネルギー）Ｅ２がＥ１に達すると、通常抑制動作から第２動作（漸減動作）に移行する。この際、通知部（3）から使用者に対し、その旨が通知される。漸減動作では、空調ユニット（1A）の空調能力が徐々に低下していくとともに、蓄電装置（100）から空調ユニット（1A）への充電力が徐々に減少していく。漸減動作の開始時点からＴ１が経過すると、第３動作（低能力動作）に移行し、空調能力がそのまま維持される。
【０２３９】
このように、実施形態３では、空調ユニット（1A）の運転を切り換えることなく、第１動作、第２動作、及び第３動作を順次実行できる。それ以外の作用効果は、上記実施形態と同様である。
【０２４０】
〈第２運転〉
実施形態３においても、実施形態１と同様、促進指令に応じて第２運転が行われる。ただし、実施形態３の第２運転では、冷房／冷蓄熱運転などが行われず、冷房運転が継続される。
【０２４１】
冷房運転において、促進指令が受信部（5a）に受信されると、第４動作（通常促進動作）が実行される。通常促進動作では、商用電力が蓄電装置（100）に充電される。これにより、空調能力を必要空調能力に維持しながら、使用商用電力を目標電力以上に維持できる。
【０２４２】
通常促進動作では、その後の漸増動作に必要な総エネルギー容量Ｅ３が算出される。通常促進動作において、蓄電装置（100）の残りの蓄電容量（残りのエネルギー容量）Ｅ４がＥ３に達すると、通常促進動作から第３動作（漸増動作）に移行する。この際、通知部（3）から使用者に対し、その旨が通知される。漸増動作では、空調ユニット（1A）の空調能力が徐々に増大していくとともに、蓄電装置（100）に供給される商用電力が徐々に減少していく。漸増動作の開始時点からＴ２が経過すると、第６動作（高能力動作）に移行し、空調能力がそのまま維持される。
【０２４３】
このように、実施形態３では、空調ユニット（1A）の運転を切り換えることなく、第４動作、第５動作、及び第６動作を順次実行できる。それ以外の作用効果は、上記実施形態と同様である。
【０２４４】
《その他の実施形態》
以上説明した各形態においては、以下のように構成してもよい。
【０２４５】
漸減動作では、空調ユニット（1A）の空調能力を直線状に徐々に変化させている。しかし、空調ユニット（1A）の空調能力を、所定の関数に基づき曲線状に変化させてもよい。漸増動作も同様である。
【０２４６】
上述した空調システム（1）の蓄熱ユニット（20）は、蓄熱媒体が貯留される蓄熱槽と、蓄熱用熱交換器と、ポンプとが接続される蓄熱回路を有し、ポンプが循環する蓄熱媒体と冷媒とが蓄熱用熱交換器で熱交換する、いわゆるダイナミック式であってもよい。
【０２４７】
蓄熱媒体は、水に限られない。蓄熱媒体は、冷却されることによって包接水和物が生成される蓄熱媒体（例えば臭化テトラｎブチルアンモニウム水溶液）であってもよい。
【０２４８】
以上、実施形態および変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０２４９】
本開示は、空調システムについて有用である。
【符号の説明】
【０２５０】
１Ａ    空調ユニット
３      通知部
５      コントローラ（制御装置）
２１ａ    蓄熱槽（蓄熱部、蓄エネルギー部）
１００      蓄電装置（蓄エネルギー部）
【図１】
2020056565.tif 000003
【図２】
2020056565.tif 000004
【図３】
2020056565.tif 000005
【図４】
2020056565.tif 000006
【図５】
2020056565.tif 000007
【図６】
2020056565.tif 000008
【図７】
2020056565.tif 000009
【図８】
2020056565.tif 000010
【図９】
2020056565.tif 000011
【図１０】
2020056565.tif 000012
【図１１】
2020056565.tif 000013
【図１２】
2020056565.tif 000014
【図１３】
2020056565.tif 000015
【図１４】
2020056565.tif 000016
【図１５】
2020056565.tif 000017
【図１６】
2020056565.tif 000018
【図１７】
2020056565.tif 000019
【図１８】
2020056565.tif 000020
【図１９】
2020056565.tif 000021
【図２０】
2020056565.tif 000022
【図２１】
2020056565.tif 000023